(57)【要約】  本発明は、情報送信、受信方法及び装置、記憶媒体、プロセッサを開示し、情報送信方法は、ビーム関連パラメータ集合のうちのＫ（Ｋは１以上の整数）個の要素がＫ個の要素に対応する第１タイプの閾値を超える場合、第１タイプのシグナリングを生成するステップと、基準信号に関連する情報が担持されている第１タイプのシグナリングを第２通信ノードに送信するステップと、を含む。
2021503824.tif 000002
【特許請求の範囲】
【請求項１】
第１通信ノードに適用される情報送信方法であって、
ビーム関連パラメータ集合のうちのＫ（Ｋは１以上の整数）個の要素が前記Ｋ個の要素に対応する第１タイプの閾値を超える場合、第１タイプのシグナリングを生成するステップと、
基準信号に関連する情報が担持されている前記第１タイプのシグナリングを第２通信ノードに送信するステップと、を含む、方法。
【請求項２】
前記第１タイプのシグナリングを第２通信ノードに送信するステップは、
物理アップリンク制御チャネルＰＵＣＣＨ、及び物理ランダムアクセスチャネルＰＲＡＣＨのうちの少なくとも１つによって、前記第１タイプのシグナリングを前記第２通信ノードに送信するステップを含み、
前記ＰＲＡＣＨは、競合ベースのＰＲＡＣＨ又は競合フリーＰＲＡＣＨを含む、請求項１に記載の方法。
【請求項３】
前記基準信号に関連する情報は、
基準信号インデックス、
チャネル状態情報、及び
基準信号受信電力のうちの少なくとも１つを含む、請求項１に記載の方法。
【請求項４】
前記第１タイプのシグナリングに前記基準信号に関連する情報が直接担持されているか、又は、前記第１タイプのシグナリングに使用される時間周波数コードリソース位置が前記基準信号に関連する情報を指示するものである、請求項１に記載の方法。
【請求項５】
前記第１タイプのシグナリングを第２通信ノードに送信する前に、
前記第１通信ノードに対して第２通信ノードによって設定された第１タイプのシグナリング回数閾値及び累計時間閾値のうちの少なくとも１つの閾値情報を受信するステップをさらに含み、
前記第１タイプのシグナリングの送信回数が前記第１タイプのシグナリング回数閾値を超える場合、前記第１タイプのシグナリングの送信を停止し、
計時ユニットの計時開始点と前記第１タイプのシグナリングの送信時刻との間の時間が前記累計時間閾値を超える場合、前記第１タイプのシグナリングの送信を停止する、請求項１に記載の方法。
【請求項６】
前記第１タイプのシグナリングの送信回数が前記第１タイプのシグナリング回数閾値を超える場合、及び／又は、計時ユニットの計時時間が前記累計時間閾値を超える場合、指定情報を上位層に送信するステップ、
前記第１タイプのシグナリング回数閾値に達する第１タイプのシグナリングを送信してからの第１所定時間以内に、前記第２通信ノードから送信された前記第１タイプのシグナリングの応答メッセージが受信されていない場合、指定情報を上位層に送信するステップ、及び
計時ユニットの計時時間が前記累計時間閾値を超えてからの第２所定時間以内に、指定情報を上位層に送信するステップのうちの少なくとも１つをさらに含み、
前記指定情報は、ビーム回復失敗を指示するための情報、及び無線リンク障害のトリガー条件のうちの少なくとも１つの情報を含む、請求項５に記載の方法。
【請求項７】
前記計時開始点は、
リンク又はビームの障害が検出された時刻、
リンク又はビームの障害が検出された時刻が位置するタイムウィンドウのマーク時刻、
ビーム障害検出結果が所定閾値に達する時刻、
ビーム障害検出結果が前記所定閾値に達する時刻が位置するタイムウィンドウのマーク時刻、
前記第１タイプのシグナリングを初めて送信する時刻、
前記第１タイプのシグナリングを初めて送信する時刻が位置するタイムウィンドウのマーク時刻、
前記第１タイプのシグナリングを搬送するためのアップリンクリソースを設定する時刻、
前記第１タイプのシグナリングを搬送するためのアップリンクリソースを設定する時刻が位置するタイムウィンドウのマーク時刻、
前記第１タイプのシグナリングによって搬送された基準信号インデックスの送信時刻、
前記第１タイプのシグナリングによって搬送された基準信号インデックスの送信時刻が位置するタイムウィンドウのマーク時刻、
ＰＵＣＣＨによって前記第１タイプのシグナリングを初めて送信する時刻、
ＰＵＣＣＨによって前記第１タイプのシグナリングを初めて送信する時刻が位置するタイムウィンドウのマーク時刻、
ＰＲＡＣＨによって前記第１タイプのシグナリングを初めて送信する時刻、及び
ＰＲＡＣＨによって前記第１タイプのシグナリングを初めて送信する時刻が位置するタイムウィンドウのマーク時刻のうちの１つである、請求項５に記載の方法。
【請求項８】
前記タイムウィンドウのマーク時刻は、
前記タイムウィンドウの開始時刻、前記タイムウィンドウの中間時刻、前記タイムウィンドウの終了時刻のうちの１つを含む、請求項７に記載の方法。
【請求項９】
前記第１タイプのシグナリングの送信回数は、
ＰＵＣＣＨリソースによって前記第１タイプのシグナリングを送信する回数、
ＰＲＡＣＨリソースによって前記第１タイプのシグナリングを送信する回数、及び
ＰＲＡＣＨによって前記第１タイプのシグナリングを送信する回数とＰＵＣＣＨリソースによって前記第１タイプのシグナリングを送信する回数との和のうちの少なくとも１つを含む、請求項５に記載の方法。
【請求項１０】
Ｎ個のＰＲＡＣＨに関連付けられた前記基準信号がチャネル特性条件を満たす場合、前記Ｎ個のＰＲＡＣＨリソースが同一時間領域単位に割り当てられるか、又は、前記Ｎ個のＰＲＡＣＨが周波数分割多重化ＦＤＭをサポートし、
前記時間領域単位は、スロット、サブフレーム、シンボル、シンボル集合のうちの少なくとも１つを含む、請求項１に記載の方法。
【請求項１１】
前記基準信号は、
チャネル状態情報基準信号ＣＳＩ−ＲＳ、及び
同期信号ブロックＳＳ  ｂｌｏｃｋのうちの少なくとも１つを含む、請求項１０に記載の方法。
【請求項１２】
前記第１タイプのシグナリングのＰＲＡＣＨに関連付けられたＳＳ  ｂｌｏｃｋに対応する初期アクセスされるＰＲＡＣＨの時間領域位置によって、前記第１タイプのシグナリングによって占有されるＰＲＡＣＨリソースの時間領域位置を決定すること、
前記第１タイプのシグナリングのＰＲＡＣＨに関連付けられたＳＳ  ｂｌｏｃｋに対応する初期アクセスされるＰＲＡＣＨリソースによって、前記第１タイプのシグナリングによって占有されるＰＲＡＣＨリソースを決定すること、
同一チャネル特徴条件を満たすＳＳ  ｂｌｏｃｋに対応する初期アクセスされるＰＲＡＣＨの時間領域位置によって、前記第１タイプのシグナリングによって占有されるＰＲＡＣＨリソースの時間領域位置を決定すること、及び
同一チャネル特徴条件を満たすＳＳ  ｂｌｏｃｋに対応する初期アクセスされるＰＲＡＣＨリソースによって、前記第１タイプのシグナリングによって占有されるＰＲＡＣＨリソースを決定すること、
のうちの少なくとも１つによって、前記第１タイプのシグナリングのＰＲＡＣＨリソースを決定し、
前記第１タイプのシグナリングのＰＲＡＣＨに関連付けられたＳＳ  ｂｌｏｃｋに対応する初期アクセスされるＰＲＡＣＨの時間領域オフセットと、前記第１タイプのシグナリングによって占有されるＰＲＡＣＨリソースの時間領域オフセットとは同じであり、
前記第１タイプのシグナリングのＰＲＡＣＨに関連付けられたＳＳ  ｂｌｏｃｋに対応する初期アクセスされるＰＲＡＣＨの時間周波数オフセットと、前記第１タイプのシグナリングによって占有されるＰＲＡＣＨリソースの時間周波数オフセットとは同じであり、
同一チャネル特徴条件を満たすＳＳ  ｂｌｏｃｋに対応する初期アクセスされるＰＲＡＣＨの時間領域オフセットと、前記第１タイプのシグナリングによって占有されるＰＲＡＣＨリソースの時間領域位置とは同じであり、
同一チャネル特徴仮定を満たすＳＳ  ｂｌｏｃｋに対応する初期アクセスされるＰＲＡＣＨの時間周波数オフセットと、前記第１タイプのシグナリングによって占有されるＰＲＡＣＨリソースの時間周波数位置とは同じであり、
同一チャネル特徴条件を満たすＳＳ  ｂｌｏｃｋは、前記第１タイプのシグナリングによって占有されるＰＲＡＣＨに関連付けられたＣＳＩ−ＲＳのＳＳ  ｂｌｏｃｋである、請求項１１に記載の方法。
【請求項１３】
前記第１タイプのシグナリングを第２通信ノードに送信する前に、
前記第２通信ノードから送信された第２タイプのシグナリングを受信するステップであって、前記第２タイプのシグナリングに所定のＰＲＡＣＨリソースが担持されており、前記所定のＰＲＡＣＨリソースは設定済み又は予め定義されたＰＲＡＣＨリソース集合から選択されるＰＲＡＣＨリソースであり、前記所定のＰＲＡＣＨリソースは前記第１タイプのシグナリングによって占有されるＰＲＡＣＨリソースの時間領域及び／又は周波数領域位置を指示するのに用いられるステップ、及び
前記第２通信ノードから送信された第３タイプのシグナリングを受信するステップであって、前記第３タイプのシグナリングに、前記第１タイプのシグナリングのＰＲＡＣＨリソースに関連付けられた所定のＣＳＩ−ＲＳリソース及び／又はＳＳ  ｂｌｏｃｋが担持されており、前記所定のＣＳＩ−ＲＳリソース及び／又はＳＳ  ｂｌｏｃｋは設定済み又は予め定義されたＣＳＩ−ＲＳリソース集合及び／又はＳＳ  ｂｌｏｃｋ集合から選択されるものであり、前記所定のＣＳＩ−ＲＳリソース及び／又はＳＳ  ｂｌｏｃｋは前記第１タイプのシグナリングによって占有されるＰＲＡＣＨリソースに関連付けられたものであるステップ、のうちの少なくとも１つをさらに含む、請求項１１に記載の方法。
【請求項１４】
前記第１タイプのシグナリングによって占有されるＰＲＡＣＨリソースは、前記第１タイプのシグナリングによって占有されるＰＲＡＣＨに関連付けられたＳＳ  ｂｌｏｃｋに対応する初期アクセスされるＰＲＡＣＨリソースであり、
前記第１タイプのシグナリングによって占有されるＰＲＡＣＨリソースは、前記第１タイプのシグナリングによって占有されるＰＲＡＣＨに関連付けられたＣＳＩ−ＲＳの、同一チャネル特徴条件を満たすＳＳ  ｂｌｏｃｋに対応する初期アクセスされるＰＲＡＣＨリソースである、請求項１又は請求項１１に記載の方法。
【請求項１５】
前記第２タイプのシグナリングは第１ビットマップを含み、前記第１ビットマップにおけるビットの値が第１指定値である場合、前記ＰＲＡＣＨリソース集合のうちの前記ビットに対応するＰＲＡＣＨリソースが選択され、
前記第３タイプのシグナリングは第２ビットマップを含み、前記第２ビットマップにおけるビットの値が第２指定値である場合、前記ＣＳＩ−ＲＳリソース集合及び／又はＳＳ  ｂｌｏｃｋ集合のうちの前記ビットに対応するＣＳＩ−ＲＳリソース及び／又はＳＳ  ｂｌｏｃｋが選択される、請求項１３に記載の方法。
【請求項１６】
前記第２通信ノードによって設定された周波数領域ステップ量を受信するステップをさらに含み、前記周波数領域ステップ量は、同一時間領域単位に位置するＰＲＡＣＨ間の周波数領域間隔を指示するものである、請求項１に記載の方法。
【請求項１７】
前記ＰＵＣＣＨによる前記第１タイプのシグナリングの送信と前記ＰＲＡＣＨによる前記第１タイプのシグナリングの送信は同一の設定情報を使用し、前記設定情報は、
前記第２通信ノードの応答ウィンドウの持続時間、
前記第２通信ノードの応答ウィンドウと、前記第１タイプのシグナリングを前記第２通信ノードに送信する時間との間の時間オフセット、
制御チャネルリソース集合ＣＯＲＥＳＥＴリソース、及び
検索空間のうちの少なくとも１つを含む、請求項２に記載の方法。
【請求項１８】
第１通信ノードに適用される情報送信方法であって、
第２通信ノードから送信された基準信号を受信するステップと、
前記基準信号に関連する情報であって、基準信号関連インデックスの情報、及び基準信号受信電力の情報のうちの少なくとも１つを含む情報を決定するステップと、
決定された前記情報を前記第２通信ノードにフィードバックするステップと、を含む、方法。
【請求項１９】
前記情報に含まれる前記基準信号関連インデックスの数は、前記第１通信ノードに対して前記第２通信ノードによって設定された基準信号関連インデックスのフィードバック数以下である、請求項１８に記載の方法。
【請求項２０】
前記基準信号の基準信号受信電力と最大基準信号受信電力との差分が第１閾値以下である条件、
前記基準信号の基準信号受信電力と前記基準信号の位置するグループ内の最大基準信号受信電力との差分が第２閾値以下である条件、
前記基準信号の基準信号受信電力と指定基準信号における基準信号受信電力との差分が第３閾値以下である条件、
前記基準信号の基準信号受信電力と差分基準信号受信電力を算出するための基準電力との差分が第４閾値以下である条件、及び
前記基準信号の基準信号受信電力が第５閾値以上である条件、
のうちの少なくとも１つを満たす場合、前記情報には前記基準信号関連インデックスが含まれる、請求項１８に記載の方法。
【請求項２１】
前記第１閾値、前記第２閾値、前記第３閾値、及び前記第５閾値は、前記第２通信ノードによって設定される値、及び予め定義される値のうちの１つとして決定され、
前記第４閾値は、前記第２通信ノードによって設定される値、前記差分基準信号受信電力の変化範囲によって決定される値、及び予め定義される値のうちの１つとして決定される、請求項２０に記載の方法。
【請求項２２】
前記情報は、第１情報及び第２情報を含み、
前記第１情報は、前記基準信号関連インデックスの数、基準信号グループの数、基準信号グループのグループインデックス、各前記基準信号グループにおける最大基準信号の受信電力値、すべての基準信号の基準信号受信電力のうちの最大基準信号受信電力、差分基準信号受信電力を算出するための基準電力、差分基準信号受信電力を算出するための基準電力に関連付けられた基準信号関連インデックス、前記第２通信ノードによって指定された基準信号関連インデックス、及び前記第２通信ノードによって指定された基準信号の基準信号受信電力値のうちの少なくとも１つを含み、前記第２情報は、基準信号関連インデックス、及び基準信号受信電力のうちの少なくとも１つを含む、請求項１８に記載の方法。
【請求項２３】
前記第２情報に含まれる基準信号受信電力は、差分基準信号受信電力である、請求項２２に記載の方法。
【請求項２４】
前記第２情報に含まれる前記基準信号関連インデックスは、ビットマップで指示される、請求項２２に記載の方法。
【請求項２５】
ＰＵＣＣＨリソースによって前記第１情報及び前記第２情報をフィードバックすること、
ＰＵＳＣＨリソースによって前記第１情報及び前記第２情報をフィードバックすること、及び
ＰＵＣＣＨリソースによって前記第１情報をフィードバックし、ＰＵＳＣＨによって前記第２情報をフィードバックすること、
のうちの１つによって、前記第１情報及び前記第２情報をフィードバックする、請求項２２に記載の方法。
【請求項２６】
ＰＵＣＣＨリソースによって前記第１情報をフィードバックし、ＰＵＳＣＨによって前記第２情報をフィードバックする場合、
前記第２通信ノードは、差分基準信号受信電力の形で基準信号受信電力をフィードバックすることを前記第１通信ノードに指示するための第１情報を設定する能力を具備しないこと、
前記第２通信ノードは前記第１情報を設定する能力を具備すること、
前記第２通信ノードは前記第１通信ノードに対して前記第１情報を設定しないこと、及び
前記第２通信ノードは前記第１通信ノードに対して前記第１情報を設定すること、
のうちの１つをさらに含む、請求項２５に記載の方法。
【請求項２７】
前記第１情報の変調符号化方式は、前記第２情報の変調符号化方式と異なる、請求項２２に記載の方法。
【請求項２８】
前記基準信号が基準信号グループ内のＸ個の基準信号である場合、差分基準信号受信電力の形で前記Ｘ個の基準信号に対応する基準信号受信電力をフィードバックするステップ、
Ｄ個の基準信号グループのそれぞれからＹ個の基準信号が選択された場合であって、前記基準信号が選択された基準信号である場合、差分基準信号受信電力の形で前記選択された基準信号に対応する基準信号受信電力をフィードバックするステップ、及び
前記基準信号がＪ個の基準信号である場合、差分基準信号受信電力の形で前記Ｊ個の基準信号に対応する基準信号受信電力をフィードバックするステップ、
のうちの少なくとも１つをさらに含み、
Ｘ、Ｙ、Ｄ、Ｊは１以上の自然数である、請求項１８に記載の方法。
【請求項２９】
前記基準信号が基準信号グループ内のＸ個の基準信号である場合、前記Ｘ個の基準信号の前記差分基準信号受信電力を算出するための基準電力は、
前記基準信号グループ内の指定基準信号の基準信号受信電力、
前記基準信号グループ外の指定基準信号の基準信号受信電力、
前記第２通信ノードによって設定された、差分基準信号受信電力を算出するための基準値、及び
前記Ｘ個の基準信号のうちの指定基準信号の基準信号受信電力のうちの少なくとも１つを含む、請求項２８に記載の方法。
【請求項３０】
Ｄ個の基準信号グループのそれぞれからＹ個の基準信号が選択された場合であって、前記基準信号が選択された基準信号である場合、前記選択された基準信号の前記差分基準信号受信電力を算出するための基準電力は、
前記Ｄ個の基準信号グループ内の指定基準信号の基準信号受信電力、
前記Ｄ個の基準信号グループ外の指定基準信号の基準信号受信電力、
前記第２通信ノードによって設定された、差分基準信号受信電力を算出するための基準値、及び
前記Ｄ個の基準信号グループ内のＹ個の基準信号のうちの指定基準信号の基準信号受信電力
のうちの少なくとも１つを含む、請求項２８に記載の方法。
【請求項３１】
前記基準信号がＪ個の基準信号である場合、前記Ｊ個の基準信号の前記差分基準信号受信電力を算出するための基準電力は、
前記Ｊ個の基準信号のうちの指定基準信号の基準信号受信電力、
前記第２通信ノードによって設定された、差分基準信号受信電力を算出するための基準値、及び
前記Ｊ個の基準信号外の指定基準信号の基準信号受信電力
のうちの少なくとも１つを含む、請求項２８に記載の方法。
【請求項３２】
前記指定基準信号が１つ又は複数の指定基準信号グループ内にある場合、前記指定基準信号は、１つ又は複数の前記指定基準信号グループ内の最大又は最小基準信号受信電力を有する基準信号、又は、すべての基準信号のうち最大又は最小基準信号受信電力を有する基準信号である、請求項２９に記載の方法。
【請求項３３】
差分基準信号受信電力のステップ量は、
予め定義されたステップ量に基づいて決定されること、
前記差分基準信号受信電力を算出するための基準電力に基づいて決定されること、及び
前記差分基準信号受信電力を算出するための基準電力及び前記第２通信ノードによって設定された閾値に基づいて決定されること、
のうちの少なくとも１つによって決定され、
複数の識別子によって複数の前記差分基準信号受信電力をフィードバックする場合、前記差分基準信号受信電力のステップ量は前記複数の識別子のうちの第１識別子で指示される第１差分基準信号受信電力と、前記複数の識別子のうち、前記第１識別子に隣接する第２識別子で指示される第２差分基準信号受信電力との差である、請求項２８に記載の方法。
【請求項３４】
異なるタイプの基準信号に対して、差分基準信号受信電力の形で前記異なるタイプの基準信号の基準信号受信電力を個別にフィードバックすること、
異なるタイプの基準信号に対して、差分基準信号受信電力の形で異なるタイプの基準信号の基準信号受信電力を同時にフィードバックすること、
差分基準信号受信電力の形で第１タイプの基準信号の基準信号受信電力をフィードバックし、第２タイプの基準信号の基準信号受信電力を直接フィードバックすること、
前記第２通信ノードによって設定された異なる基準信号集合に対して、差分基準信号受信電力の形で異なる基準信号集合の基準信号受信電力を個別にフィードバックすること、及び
前記第１通信ノードによってフィードバックされた異なる基準信号グループに対して、差分基準信号受信電力の形で異なる前記基準信号グループの基準信号受信電力を個別にフィードバックすること、
のうちの少なくとも１つによって、前記差分基準信号受信電力をフィードバックする、請求項２８に記載の方法。
【請求項３５】
基準信号の基準信号タイプが指定基準信号タイプである条件、及び
基準信号の数が所定閾値以上である条件、
のうちの少なくとも１つの条件下で、差分基準信号受信電力の形で基準信号受信電力をフィードバックする、請求項１８に記載の方法。
【請求項３６】
前記基準信号に関連する情報を決定する前に、
前記第２通信ノードによって設定された、前記基準信号に関連する情報をフィードバックするための報告モードを取得するステップをさらに含み、前記報告モードは第１報告モード及び第２報告モードのうちの少なくとも１つを含み、
前記第１報告モードと前記第２報告モードとの関係は、
前記第１報告モードは前記第２報告モードよりも設定優先度が高いこと、
前記第１報告モードで前記基準信号に関連する情報のフィードバックを限定するための閾値は、前記第２報告モードで前記基準信号に関連する情報のフィードバックを限定するための閾値未満であること、
前記第１報告モードでは、前記第１通信ノードに対して前記第２通信ノードによって設定されたすべての基準信号に関連する情報を、前記第２通信ノードにフィードバックすること、及び
前記第２報告モードでは、前記第２通信ノードの基準信号に関連する情報の数は、前記第１通信ノードに対して前記第２通信ノードによって設定された基準信号に関連する情報のフィードバック数以下であること、
のうちの少なくとも１つを含む、請求項１８に記載の方法。
【請求項３７】
前記報告モードが前記第１報告モードである場合、前記基準信号の基準信号受信電力の順序位置は、前記基準信号の基準信号関連インデックスを指示するためのものである、請求項３６に記載の方法。
【請求項３８】
前記第１報告モード及び第２報告モードでは、それぞれ差分基準信号受信電力の形で基準信号受信電力をフィードバックするステップ、
前記第１報告モードでは、基準信号受信電力を直接フィードバックし、第２報告モードでは、差分基準信号受信電力の形で基準信号受信電力をフィードバックするステップ、及び
前記第２報告モードでは、基準信号受信電力を直接フィードバックし、第１報告モードでは、差分基準信号受信電力の形で基準信号受信電力をフィードバックするステップ、
のうちの少なくとも１つをさらに含む、請求項３６に記載の方法。
【請求項３９】
前記第１報告モード及び第２報告モードでは、それぞれ差分基準信号受信電力の形で基準信号受信電力をフィードバックする場合、
前記第１報告モードでの差分報告における差分基準信号受信電力のステップ量と前記第２報告モードでの差分報告における差分基準信号受信電力のステップ量とは異なるか、又は、前記第１報告モードでの差分報告における差分基準信号受信電力のステップ量と前記第２報告モードでの差分報告における差分基準信号受信電力のステップ量とはそれぞれ設定される、請求項３６に記載の方法。
【請求項４０】
第２通信ノードに適用される情報受信方法であって、
第１通信ノードから送信された第１タイプのシグナリングを受信するステップを含み、
前記第１タイプのシグナリングは、ビーム関連パラメータ集合のうちのＫ（Ｋは１以上の整数）個の要素が前記Ｋ個の要素に対応する第１タイプの閾値を超える場合に前記第１通信ノードによって生成されたシグナリングであり、前記第１タイプのシグナリングに基準信号に関連する情報が担持されている、方法。
【請求項４１】
第１通信ノードから送信された第１タイプのシグナリングを受信するステップは、
物理アップリンク制御チャネルＰＵＣＣＨ、及び物理ランダムアクセスチャネルＰＲＡＣＨのうちの少なくとも１つのチャネルによって、前記第１タイプのシグナリングを受信するステップを含み、
前記ＰＲＡＣＨは、競合ベースのＰＲＡＣＨ又は競合フリーＰＲＡＣＨを含む、請求項４０に記載の方法。
【請求項４２】
第１通信ノードから送信された第１タイプのシグナリングを受信する前に、
前記第１通信ノードに対して、第１タイプのシグナリング回数閾値、累計時間閾値、ＰＵＣＣＨ、ＰＲＡＣＨ、及びビームが回復されたＰＲＡＣＨのうちの少なくとも１つの情報を設定するステップをさらに含み、
前記第１タイプのシグナリングの送信回数が前記第１タイプのシグナリング回数閾値を超える場合、前記第１タイプのシグナリングの送信を停止し、
計時ユニットの計時開始点と前記第１タイプのシグナリングの送信時刻との間の時間が前記累計時間閾値を超える場合、前記第１タイプのシグナリングの送信を停止する、請求項４０に記載の方法。
【請求項４３】
前記第１通信ノードに対して前記情報を設定するステップは、
前記第１通信ノードの能力に応じて、前記第１通信ノードに対して前記情報を設定するステップを含み、
前記第１通信ノードの能力は、前記第１通信ノードがビーム関連付けをサポートする能力、前記第１通信ノードが非ビーム関連付けをサポートする能力、前記第１通信ノードが一部のビーム関連付けをサポートする能力、前記第１通信ノードのアンテナパラメータのうちの少なくとも１つを含む、請求項４２に記載の方法。
【請求項４４】
第２通信ノードに適用される情報送信方法であって、
基準信号を第１通信ノードに送信するステップと、
前記第１通信ノードによってフィードバックされた、前記基準信号に関連する情報を受信するステップと、を含み、
前記情報は、基準信号関連インデックスの情報、及び基準信号受信電力の情報のうちの少なくとも１つを含む、方法。
【請求項４５】
前記情報に含まれた前記基準信号関連インデックスの数は、前記第１通信ノードに対して前記第２通信ノードによって設定された基準信号関連インデックスのフィードバック数以下である、請求項４４に記載の方法。
【請求項４６】
前記基準信号の基準信号受信電力と最大基準信号受信電力との差分が第１閾値以下である条件、
前記基準信号の基準信号受信電力と前記基準信号の位置するグループ内の最大基準信号受信電力との差分が第２閾値以下である条件、
前記基準信号の基準信号受信電力と指定基準信号における基準信号受信電力との差分が第３閾値以下である条件、
前記基準信号の基準信号受信電力と差分基準信号受信電力を算出するための基準電力との差分が第４閾値以下である条件、及び
前記基準信号の基準信号受信電力が第５閾値以上である条件、
のうちの少なくとも１つを満たす場合、前記情報には前記基準信号関連インデックスが含まれる、請求項４４に記載の方法。
【請求項４７】
第１通信ノードに適用される情報送信装置であって、
ビーム関連パラメータ集合のうちのＫ（Ｋは１以上の整数）個の要素が前記Ｋ個の要素に対応する第１タイプの閾値を超える場合、第１タイプのシグナリングを生成するように構成された生成モジュールと、
基準信号に関連する情報が担持されている前記第１タイプのシグナリングを第２通信ノードに送信するように構成された送信モジュールと、を含む、装置。
【請求項４８】
第１通信ノードに適用される情報送信装置であって、
第２通信ノードから送信された基準信号を受信するように構成された受信モジュールと、
前記基準信号に関連する情報であって、基準信号関連インデックスの情報、及び基準信号受信電力の情報のうちの少なくとも１つを含む情報を決定するように構成された決定モジュールと、
決定された前記情報を前記第２通信ノードにフィードバックするように構成された報告モジュールと、を含む、装置。
【請求項４９】
第２通信ノードに適用される情報受信装置であって、
第１通信ノードから送信された第１タイプのシグナリングを受信するように構成された受信モジュールを含み、
前記第１タイプのシグナリングは、ビーム関連パラメータ集合のうちのＫ（Ｋは１以上の整数）個の要素が前記Ｋ個の要素に対応する第１タイプの閾値を超える場合に前記第１通信ノードによって生成されたシグナリングであり、前記第１タイプのシグナリングに基準信号に関連する情報が担持されている、装置。
【請求項５０】
第２通信ノードに適用される情報送信装置であって、
基準信号を第１通信ノードに送信するように構成された送信モジュールと、
前記第１通信ノードからフィードバックされた、前記基準信号に関連する情報を受信するように構成された受信モジュールと、を含み、
前記情報は、基準信号関連インデックスの情報、及び基準信号受信電力の情報のうちの少なくとも１つを含む。装置。
【請求項５１】
記憶されたプログラムを含む記憶媒体であって、前記プログラムが実行されると、請求項１〜１７又は１８〜３９のうちのいずれか１項に記載の情報送信方法を実行する、記憶媒体。
【請求項５２】
記憶されたプログラムを含む記憶媒体であって、前記プログラムが実行されると、請求項４０〜４６のうちのいずれか１項に記載の情報受信方法を実行する、記憶媒体。
【請求項５３】
プログラムを実行するプロセッサであって、前記プログラムが実行されると、請求項１〜１７又は１８〜３９のうちのいずれか１項に記載の情報送信方法を実行する、プロセッサ。
【請求項５４】
プログラムを実行するプロセッサであって、前記プログラムが実行されると、請求項４０〜４６のうちのいずれか１項に記載の情報送信方法を実行する、プロセッサ。
【請求項５５】
第１通信ノードに適用される情報送信装置であって、
情報送信用のプログラムを保存するように構成されたメモリと、
前記プログラムを実行するプロセッサであって、前記プログラムが実行されると、請求項１〜１７のうちのいずれか１項に記載の情報送信方法を実行するように構成されたプロセッサと、を含む、装置。
【請求項５６】
第２通信ノードに適用される情報受信装置であって、
情報受信用のプログラムを保存するように構成されたメモリと、
前記プログラムを実行するプロセッサであって、前記プログラムが実行されると、請求項１８〜３９のうちのいずれか１項に記載の情報受信方法を実行するように構成されたプロセッサと、を含む、装置。
【請求項５７】
第２通信ノードに適用される情報送信装置であって、
情報送信用のプログラムを保存するように構成されたメモリと、
前記プログラムを実行するプロセッサであって、前記プログラムが実行されると、請求項４０〜４６のうちのいずれか１項に記載の情報送信方法を実行するように構成されたプロセッサと、を含む装置。
【発明の詳細な説明】
【技術分野】
【０００１】
（関連出願の相互参照）
本願は、出願番号が２０１７１１１４７２０３．３、出願日が２０１７年１１月１７日の中国特許出願に基づいて提出され、当該中国特許出願の優先権を主張し、その全ての内容が参考により本願に組み込まれている。
【０００２】
本発明は、通信分野に関するが、それに限定されるものではなく、特に情報送信、受信方法及び装置、記憶媒体、プロセッサに関する。
【背景技術】
【０００３】
超広帯域の高周波帯（即ち、ミリ波通信）は、将来の移動体通信の発展の重要な方向となると考えられる。特に、大量のスペクトルリソース及び物理ネットワークがアクセスする場合、ミリ波のメリットはますます魅力的になり、多くの標準組織、例えば、電気電子学会（ＩＥＥＥ、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）、第３世代標準化プロジェクト（３ＧＰＰ、Ｇｅｎｅｒａｔｉｏｎ  Ｐａｒｔｎｅｒｓｈｉｐ  Ｐｒｏｊｅｃｔ）はいずれも対応する標準化作業を開始し、例えば、３ＧＰＰ標準グループにおいて、高周波通信はその広帯域幅の顕著なメリットによって、５Ｇ  Ｎｅｗ  Ｒａｄｉｏ  Ａｃｃｅｓｓ  Ｔｅｃｈｎｏｌｏｇｙ（Ｎｅｗ  ＲＡＴ）の重要な革新となる。
【０００４】
一方、高周波通信は、リンク減衰の課題にも直面している。具体的には、伝搬経路損失が大きく、空気（特に、酸素ガス）吸収が増加し、降雨減衰の影響が大きいこと等が挙げられる。これらの課題に対して、高周波通信システムは、高周波波長が短く、アンテナ集積が容易である等の特徴を利用し、マルチアンテナアレイ及びビームフォーミングの態様によって高いアンテナゲインを得て信号伝送損失に対抗し、さらにリンクマージンを確保し、通信ロバスト性を向上させる。
【０００５】
アンテナ重み（プリコード、ビームとも呼ばれる）トレーニングプロセス中、高周波送信側はトレーニングパイロットを送信し、受信側はチャネルを受信しチャネル推定を実行する。その後、高周波受信側はチャネル状態情報をトレーニング送信側にフィードバックする必要があり、それにより送受信側は候補の送受信側アンテナ重みペアから、マルチチャネルデータ伝送に必要な複数組の送受信側アンテナ重みペアを簡単に選択でき、全体的なスペクトル効率を高める。
【０００６】
関連技術のミリ波通信システムでは、チャネル品質報告に、基準信号の選択決定及びビームの選択決定をサポートするための基準信号受信電力（ＲＳＲＰ、Ｒｅｆｅｒｅｎｃｅ  Ｓｉｇｎａｌ  Ｒｅｃｅｉｖｉｎｇ  Ｐｏｗｅｒ）報告が提供される。しかしながら、関連技術では、システム全体及びユーザー側の実現の複雑さを制御できず、設定及びフィードバックのオーバーヘッドが比較的に大きい。
【発明の概要】
【発明が解決しようとする課題】
【０００７】
上記に鑑みて、本発明の実施例は、少なくとも基準信号に関連する情報を報告する課題を解決する情報送信、受信方法及び装置、記憶媒体、プロセッサを提供することを目的とする。
【課題を解決するための手段】
【０００８】
本発明の実施例は、第１通信ノードに適用される情報送信方法であって、ビーム関連パラメータ集合のうちのＫ（Ｋは１以上の整数）個の要素がＫ個の要素に対応する第１タイプの閾値を超える場合、第１タイプのシグナリングを生成するステップと、基準信号に関連する情報が担持されている第１タイプのシグナリングを第２通信ノードに送信するステップと、を含む情報送信方法を提供する。
【０００９】
本発明の実施例は、さらに、第１通信ノードに適用される情報送信方法であって、第２通信ノードから送信された基準信号を受信するステップと、基準信号に関連する情報であって、基準信号関連インデックスの情報、及び基準信号受信電力の情報のうちの少なくとも１つを含む情報を決定するステップと、決定された情報を第２通信ノードにフィードバックするステップと、を含む情報送信方法を提供する。
【００１０】
本発明の実施例は、さらに、第２通信ノードに適用される情報受信方法であって、第１通信ノードから送信された第１タイプのシグナリングを受信するステップを含み、第１タイプのシグナリングは、ビーム関連パラメータ集合のうちのＫ（Ｋは１以上の整数）個の要素がＫ個の要素に対応する第１タイプの閾値を超える場合に第１通信ノードによって生成されたシグナリングであり、第１タイプのシグナリングに、基準信号に関連する情報が担持されている情報受信方法を提供する。
【００１１】
本発明の実施例は、さらに、第２通信ノードに適用される情報送信方法であって、基準信号を第１通信ノードに送信するステップと、第１通信ノードからフィードバックされた、基準信号に関連する情報を受信するステップと、を含み、情報は、基準信号関連インデックスの情報、及び基準信号受信電力の情報のうちの少なくとも１つを含む情報送信方法を提供する。
【００１２】
本発明の実施例は、さらに、第１通信ノードに適用される情報送信装置であって、
ビーム関連パラメータ集合のうちのＫ（Ｋは１以上の整数）個の要素がＫ個の要素に対応する第１タイプの閾値を超える場合、第１タイプのシグナリングを生成するように構成された生成モジュールと、
基準信号に関連する情報が担持されている第１タイプのシグナリングを第２通信ノードに送信するように構成された送信モジュールと、を含む情報送信装置を提供する。
本発明の実施例は、さらに、第１通信ノードに適用される情報送信装置であって、
第２通信ノードから送信された基準信号を受信するように構成された受信モジュールと、
基準信号に関連する情報であって、基準信号関連インデックスの情報、及び基準信号受信電力の情報のうちの少なくとも１つを含む情報を決定するように構成された決定モジュールと、
決定された情報を第２通信ノードにフィードバックする報告モジュールと、を含む情報送信装置を提供する。
【００１３】
本発明の実施例は、さらに、第２通信ノードに適用される情報受信装置であって、
第１通信ノードから送信された第１タイプのシグナリングを受信するように構成された受信モジュールを含み、第１タイプのシグナリングは、ビーム関連パラメータ集合のうちのＫ（Ｋは１以上の整数）個の要素がＫ個の要素に対応する第１タイプの閾値を超える場合に第１通信ノードによって生成されたシグナリングであり、第１タイプのシグナリングに、基準信号に関連する情報が担持されている情報受信装置を提供する。
【００１４】
本発明の実施例は、さらに、第２通信ノードに適用される情報送信装置であって、
基準信号を第１通信ノードに送信するように構成された送信モジュールと、
第１通信ノードからフィードバックされる基準信号に関連する情報を受信するように構成された受信モジュールと、を含み、情報は、基準信号関連インデックスの情報、及び基準信号受信電力の情報のうちの少なくとも１つを含む情報送信装置を提供する。
【００１５】
本発明の実施例は、さらに、記憶されたプログラムを含み、前記プログラムが実行されると、本発明の実施例に記載の情報受信方法を実行する記憶媒体を提供する。
【００１６】
本発明の実施例は、さらに、記憶されたプログラムを含み、前記プログラムが実行されると、本発明の実施例に記載の情報送信方法を実行する記憶媒体を提供する。
【００１７】
本発明の実施例は、さらに、前記プロセッサはプログラムを実行し、前記プログラムが実行されると、本発明の実施例の情報受信方法を実行するプロセッサを提供する。
【００１８】
本発明の実施例は、さらに、前記プロセッサはプログラムを実行し、前記プログラムが実行されると、本発明の実施例の情報送信方法を実行するプロセッサを提供する。
【００１９】
本発明の実施例は、さらに、
情報送信のプログラムを保存するように構成されたメモリと、
前記プログラムを実行し、前記プログラムが実行されると、前記情報送信方法を実行するように構成されたプロセッサと、を含む情報送信装置を提供する。
【００２０】
本発明の実施例は、さらに、
情報受信のプログラムを保存するように構成されたメモリと、
前記プログラムを実行し、前記プログラムが実行されると、前記情報受信方法を実行するように構成されたプロセッサと、を含む情報受信装置を提供する。
【発明の効果】
【００２１】
本発明の実施例によれば、ビーム関連パラメータ集合のうちのＫ個の要素が前記Ｋ個の要素に対応する第１タイプの閾値を超える場合、基準信号に関連する情報が担持されている第１タイプのシグナリングを生成し、第１タイプのシグナリングを第２通信ノードに送信するか、又は、第２通信ノードから送信された基準信号を受信すると、基準信号に関連する情報を第２通信ノードに送信する。即ち、能動的報告又は第２通信ノードからの指示によって基準信号に関連する情報の報告を実現する。よって、基準信号に関連する情報を報告する課題を解決することができる。
【図面の簡単な説明】
【００２２】
【図１】本発明の実施例の移動端末のハードウェア構成のブロック図である。
【図２】本発明の実施例に係る情報送信方法のフローチャート１である。
【図３】本発明の実施例に係る情報送信方法のフローチャート２である。
【図４】本発明の実施例に係る情報受信方法の概略フローチャート１である。
【図５】本発明の実施例に係る情報送信方法の概略フローチャート２である。
【図６】本発明の実施例に係る情報送信装置の構成ブロック図１である。
【図７】本発明の実施例に係る情報送信装置の構成ブロック図２である。
【図８】本発明の実施例に係る情報受信装置の構成ブロック図１である。
【図９】本発明の実施例に係る情報受信装置の構成ブロック図２である。
【図１０】本発明の実施例に係るトリガー条件に基づくチャネル品質フィードバックの概略フローチャートである。
【図１１】本発明の実施例に係る基準信号とＰＲＡＣＨリソースとの関連付け方法の概略図である。
【図１２】本発明の実施例に係るビーム報告フィードバック方法の概略図１である。
【図１３】本発明の実施例に係るビーム報告フィードバック方法の概略図２である。
【発明を実施するための形態】
【００２３】
以下、図面及び実施例を参照しながら本発明を詳細に説明する。なお、矛盾しない限り、本願の実施例及び実施例の特徴をお互いに組み合わせることができる。
【００２４】
なお、本発明の明細書及び特許請求の範囲、並びに上記図面における用語「第１」、「第２」等は類似するオブジェクトを区別するものとして、特定の順序や順番を示すものではない。
【００２５】
本発明の実施例に係る方法実施例は、移動端末、コンピュータ端末、又は類似した演算装置で実行することができる。移動端末で実行されることを例にすると、図１は本発明の実施例の情報送信方法の移動端末のハードウェア構成のブロック図である。図１に示すように、移動端末１０は１つ又は複数の（１つのみが図示されている）プロセッサ１０２（プロセッサ１０２はマイクロプロセッサ（ＭＣＵ、Ｍｉｃｒｏｃｏｎｔｒｏｌｌｅｒ  Ｕｎｉｔ）又はプログラマブルロジックデバイス（ＦＰＧＡ、Ｆｉｅｌｄ−Ｐｒｏｇｒａｍｍａｂｌｅ  Ｇａｔｅ  Ａｒｒａｙ）等の処理装置を含むが、これらに限定されない）と、データを記憶するメモリ１０４と、通信機能用の伝送装置１０６とを含む。当業者であれば、図１に示される構成は例示に過ぎず、上記電子装置の構成を限定するものではないと理解できる。例えば、移動端末１０は、図１に示されるものより多い要素又は少ない要素を含んでもよく、又は、図１と異なる構成を有してもよい。
【００２６】
メモリ１０４はアプリケーションソフトウェアのソフトウェアプログラム及びモジュール、例えば、本発明の実施例における情報送信方法に対応するプログラム命令／モジュールを記憶し、プロセッサ１０２はメモリ１０４に記憶されたソフトウェアプログラム及びモジュールを実行することで、様々な機能アプリケーション及びデータ処理を実行し、即ち、上記方法を実現する。メモリ１０４は高速ランダムアクセスメモリを含んでもよく、例えば、１つ又は複数の磁気記憶装置、フラッシュメモリ、又は他の不揮発性ソリッドステートメモリのような不揮発性メモリをさらに含んでもよい。いくつかの例では、メモリ１０４はプロセッサ１０２に対して遠隔に設置されたメモリをさらに含んでもよく、これらの遠隔メモリはネットワークによって移動端末１０に接続される。上記ネットワークの例としては、インターネット、イントラネット、ローカルエリアネットワーク、モバイル通信ネットワーク及びそれらの組合せを含むが、これらに限定されない。
【００２７】
伝送装置１０６は１つのネットワークを経由してデータを送受信する。上記ネットワークは、移動端末１０の通信事業者によって提供された無線ネットワークを含むことができる。一例では、伝送装置１０６は１つのネットワーク・インタフェース・コントローラ（Ｎｅｔｗｏｒｋ  Ｉｎｔｅｒｆａｃｅ  Ｃｏｎｔｒｏｌｌｅｒ、ＮＩＣ）を含み、基地局によって他のネットワーク装置に接続されることで、インターネットとの通信が可能になる。一例では、伝送装置１０６は、無線方式でインターネットと通信するための無線周波数（Ｒａｄｉｏ  Ｆｒｅｑｕｅｎｃｙ、ＲＦ）モジュールであってもよい。
【００２８】
本実施例では、上記移動端末で実行される情報送信方法を提供する。図２は本発明の実施例に係る情報送信方法のフローチャート１であり、図２に示すように、当該プロセスは、
ビーム関連パラメータ集合のうちのＫ（Ｋは１以上の整数）個の要素がＫ個の要素に対応する第１タイプの閾値を超える場合、第１タイプのシグナリングを生成するステップＳ２０２と、
基準信号に関連する情報が担持されている第１タイプのシグナリングを第２通信ノードに送信するステップＳ２０４と、を含む。
【００２９】
ビーム関連パラメータ集合のうちのＫ個の要素がＫ個の要素に対応する第１タイプの閾値を超える場合、基準信号に関連する情報が担持されている第１タイプのシグナリングを生成し、第１タイプのシグナリングを第２通信ノードに送信し、即ち、能動的報告によって基準信号に関連する情報の報告を実現することで、基準信号に関連する情報を報告する課題を解決することができる。
【００３０】
一実施例では、上記ステップＳ２０４は、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、及び物理ランダムアクセスチャネル（ＰＲＡＣＨ、Ｐｈｙｓｉｃａｌ  ＲａｎｄｏｍＡｃｃｅｓｓ  Ｃｈａｎｎｅｌ）のうちの少なくとも１つによって第１タイプのシグナリングを第２通信ノードに送信するようにしてもよく、ＰＲＡＣＨは競合ベースのＰＲＡＣＨ又は競合フリーＰＲＡＣＨを含む。
【００３１】
一実施例では、基準信号に関連する情報は、基準信号インデックス、チャネル状態情報、及び基準信号受信電力のうちの少なくとも１つを含む。
【００３２】
一実施例では、第１タイプのシグナリングに基準信号に関連する情報が直接担持されているか、又は、第１タイプのシグナリングに使用される時間周波数コードリソース(ｔｉｍｅ−ｆｒｅｑｕｅｎｃｙ  ｃｏｄｅ  ｒｅｓｏｕｒｃｅ)の位置は基準信号に関連する情報を指示するものである。
【００３３】
一実施例では、上記方法は、上記ステップＳ２０４の前に、第１通信ノードに対して第２通信ノードによって設定された第１タイプのシグナリング回数閾値、及び累計時間閾値のうちの少なくとも１つの閾値情報を受信するステップをさらに含んでもよく、第１タイプのシグナリングの送信回数が第１タイプのシグナリング回数閾値を超える場合、第１タイプのシグナリングの送信を停止し、計時ユニットの計時開始点と第１タイプのシグナリングの送信時刻との間の時間が累計時間閾値を超える場合、第１タイプのシグナリングの送信を停止する。能動的報告に対して閾値を設定し、即ち、能動的報告に対して設定制限を行うことで、報告の効率を向上させることができる。
【００３４】
一実施例では、上記方法は、第１タイプのシグナリングの送信回数が第１タイプのシグナリング回数閾値を超える場合、及び／又は、計時ユニットの計時時間が累計時間閾値を超える場合、指定情報を上位層に送信するステップ、第１タイプのシグナリング回数閾値に達する第１タイプのシグナリングを送信してからの第１所定時間以内に、第２通信ノードから送信された第１タイプのシグナリングの応答メッセージが受信されていない場合、指定情報を上位層に送信するステップ、及び、計時ユニットの計時時間が累計時間閾値を超えてからの第２所定時間以内に、上位層は指定情報を送信するステップのうちの少なくとも１つをさらに含んでもよい。
【００３５】
一実施例では、指定情報は、ビーム回復失敗を指示するための情報、及び無線リンク障害のトリガー条件のうちの少なくとも１つの情報を含む。
【００３６】
一実施例では、上記計時開始点は、リンク又はビーム障害が検出された時刻、リンク又はビーム障害が検出された時刻が位置するタイムウィンドウのマーク時刻、ビーム障害検出結果が所定閾値に達する時刻、ビーム障害検出結果が所定閾値に達する時刻が位置するタイムウィンドウのマーク時刻、第１タイプのシグナリングを初めて送信する時刻、第１タイプのシグナリングを初めて送信する時刻が位置するタイムウィンドウのマーク時刻、第１タイプのシグナリングを搬送するためのアップリンクリソースを設定する時刻、第１タイプのシグナリングを搬送するためのアップリンクリソースを設定する時刻が位置するタイムウィンドウのマーク時刻、第１タイプのシグナリングによって搬送された基準信号インデックスの送信時刻、第１タイプのシグナリングによって搬送された基準信号インデックスの送信時刻が位置するタイムウィンドウのマーク時刻、ＰＵＣＣＨによって第１タイプのシグナリングを初めて送信する時刻、ＰＵＣＣＨによって第１タイプのシグナリングを初めて送信する時刻が位置するタイムウィンドウのマーク時刻、ＰＲＡＣＨによって第１タイプのシグナリングを初めて送信する時刻、及びＰＲＡＣＨによって第１タイプのシグナリングを初めて送信する時刻が位置するタイムウィンドウのマーク時刻のうちの１つである。
【００３７】
一実施例では、タイムウィンドウのマーク時刻は、タイムウィンドウの開始時刻、タイムウィンドウの中間時刻、及びタイムウィンドウの終了時刻のうちの１つを含む。
【００３８】
一実施例では、上記第１タイプのシグナリングの送信回数は、ＰＵＣＣＨリソースによって第１タイプのシグナリングを送信する回数、ＰＲＡＣＨリソースによって第１タイプのシグナリングを送信する回数、及びＰＲＡＣＨによって第１タイプのシグナリングを送信する回数とＰＵＣＣＨリソースによって第１タイプのシグナリングを送信する回数との和のうちの少なくとも１つを含む。
【００３９】
一実施例では、Ｎ個のＰＲＡＣＨに関連付けられた基準信号がチャネル特性条件を満たす場合、Ｎ個のＰＲＡＣＨリソースが同一時間領域単位に割り当てられるか、又は、Ｎ個のＰＲＡＣＨが周波数分割多重化（ＦＤＭ、Ｆｒｅｑｕｅｎｃｙ  Ｄｉｖｉｓｉｏｎ  Ｍｕｌｔｉｐｌｅｘｉｎｇ）をサポートする。ここで、時間領域単位は、スロット、サブフレーム、シンボル、及びシンボル集合のうちの少なくとも１つを含む。
【００４０】
一実施例では、上記基準信号は、チャネル状態情報基準信号ＣＳＩ−ＲＳ、及び同期信号ブロックＳＳ  ｂｌｏｃｋのうちの少なくとも１つを含む。
【００４１】
一実施例では、第１タイプのシグナリングのＰＲＡＣＨに関連付けられたＳＳ  ｂｌｏｃｋに対応する初期アクセスされるＰＲＡＣＨの時間領域位置によって、第１タイプのシグナリングによって占有されるＰＲＡＣＨリソースの時間領域位置を決定すること、第１タイプのシグナリングのＰＲＡＣＨに関連付けられたＳＳ  ｂｌｏｃｋに対応する初期アクセスされるＰＲＡＣＨリソースによって、第１タイプのシグナリングによって占有されるＰＲＡＣＨリソースを決定すること、同一チャネル特徴条件を満たすＳＳ  ｂｌｏｃｋに対応する初期アクセスされるＰＲＡＣＨの時間領域位置によって、第１タイプのシグナリングによって占有されるＰＲＡＣＨリソースの時間領域位置を決定すること、及び同一チャネル特徴条件を満たすＳＳ  ｂｌｏｃｋに対応する初期アクセスされるＰＲＡＣＨリソースによって、第１タイプのシグナリングによって占有されるＰＲＡＣＨリソースを決定すること、のうちの少なくとも１つによって、第１タイプのシグナリングのＰＲＡＣＨリソースを決定し、第１タイプのシグナリングのＰＲＡＣＨに関連付けられたＳＳ  ｂｌｏｃｋに対応する初期アクセスされるＰＲＡＣＨの時間領域オフセットと、第１タイプのシグナリングによって占有されるＰＲＡＣＨリソースの時間領域オフセットとは同じであり、第１タイプのシグナリングのＰＲＡＣＨに関連付けられたＳＳ  ｂｌｏｃｋに対応する初期アクセスされるＰＲＡＣＨの時間周波数オフセットと、第１タイプのシグナリングによって占有されるＰＲＡＣＨリソースの時間周波数オフセットとは同じであり、同一チャネル特徴条件を満たすＳＳ  ｂｌｏｃｋに対応する初期アクセスされるＰＲＡＣＨの時間領域オフセットと、第１タイプのシグナリングによって占有されるＰＲＡＣＨリソースの時間領域位置とは同じであり、同一チャネル特徴仮定を満たすＳＳ  ｂｌｏｃｋに対応する初期アクセスされるＰＲＡＣＨの時間周波数オフセットと、第１タイプのシグナリングによって占有されるＰＲＡＣＨリソースの時間周波数位置とは同じであり、同一チャネル特徴条件を満たすＳＳ  ｂｌｏｃｋは第１タイプのシグナリングによって占有されるＰＲＡＣＨに関連付けられたＣＳＩ−ＲＳのＳＳ  ｂｌｏｃｋである。
【００４２】
一実施例では、上記方法は、上記ステップＳ１０４の前に、第２通信ノードから送信された第２タイプのシグナリングを受信し、第２タイプのシグナリングに所定のＰＲＡＣＨリソースが担持され、所定のＰＲＡＣＨリソースは設定済み又は予め定義されたＰＲＡＣＨリソース集合から選択されたＰＲＡＣＨリソースであり、所定のＰＲＡＣＨリソースは第１タイプのシグナリングによって占有されるＰＲＡＣＨリソースの時間領域及び／又は周波数領域位置を指示するのに用いられるステップ、及び、第２通信ノードから送信された第３タイプのシグナリングを受信し、第３タイプのシグナリングに、第１タイプのシグナリングのＰＲＡＣＨリソースに関連付けられた所定のＣＳＩ−ＲＳリソース及び／又はＳＳ  ｂｌｏｃｋが担持され、所定のＣＳＩ−ＲＳリソース及び／又はＳＳ  ｂｌｏｃｋは設定済み又は予め定義されたＣＳＩ−ＲＳリソース集合及び／又はＳＳ  ｂｌｏｃｋ集合から選択されたものであり、所定のＣＳＩ−ＲＳリソース及び／又はＳＳ  ｂｌｏｃｋは第１タイプのシグナリングによって占有されるＰＲＡＣＨリソースに関連付けられたものであるステップ、のうちの少なくとも１つをさらに含んでもよい。
【００４３】
一実施例では、第１タイプのシグナリングによって占有されるＰＲＡＣＨリソースは、第１タイプのシグナリングによって占有されるＰＲＡＣＨに関連付けられたＳＳ  ｂｌｏｃｋに対応する初期アクセスされるＰＲＡＣＨリソースであり、第１タイプのシグナリングによって占有されるＰＲＡＣＨリソースは、第１タイプのシグナリングによって占有されるＰＲＡＣＨに関連付けられたＣＳＩ−ＲＳの、同一チャネル特徴条件を満たすＳＳ  ｂｌｏｃｋに対応する初期アクセスされるＰＲＡＣＨリソースである。
【００４４】
一実施例では、第２タイプのシグナリングは第１ビットマップを含み、第１ビットマップにおけるビットの値が第１指定値である場合、ＰＲＡＣＨリソース集合のうちのビットに対応するＰＲＡＣＨリソースが選択され、第３タイプのシグナリングは第２ビットマップを含み、第２ビットマップにおけるビットの値が第２指定値である場合、ＣＳＩ−ＲＳリソース集合及び／又はＳＳ  ｂｌｏｃｋ集合のうちのビットに対応するＣＳＩ−ＲＳリソース及び／又はＳＳ  ｂｌｏｃｋが選択される。
【００４５】
一実施例では、上記方法は、第２通信ノードによって設定された周波数領域ステップ量を受信するステップをさらに含む。ここで、周波数領域ステップ量は、同一時間領域単位に位置するＰＲＡＣＨ間の周波数領域間隔を指示するものである。
【００４６】
一実施例では、第２通信ノードによって設定された周波数領域ステップ量を受信することは、上記ステップＳ１０４の前又は後に実行されてもよいが、これに限定されない。
【００４７】
一実施例では、ＰＵＣＣＨによる第１タイプのシグナリングの送信とＰＲＡＣＨによる第１タイプのシグナリングの送信は同一の設定情報を使用し、設定情報は、第２通信ノードの応答ウィンドウの持続時間、第２通信ノードの応答ウィンドウと、第１タイプのシグナリングを第２通信ノードに送信する時間との間の時間オフセット、制御チャネルリソース集合ＣＯＲＥＳＥＴリソース、及び検索空間のうちの少なくとも１つを含む。
【００４８】
一実施例では、上記ステップの実行本体は第１通信ノード、例えば、端末等であってもよいが、これに限定されない。
【００４９】
本実施例では、上記移動端末で実行される情報送信方法を提供する。図３は本発明の実施例に係る情報送信方法のフローチャート２であり、図３に示すように、当該プロセスは、
第２通信ノードから送信された基準信号を受信するステップＳ３０２と、
基準信号に関連する情報であって、基準信号関連インデックスの情報、及び基準信号受信電力の情報のうちの少なくとも１つを含む情報を決定するステップＳ３０４と、
決定された情報を第２通信ノードにフィードバックするステップＳ３０６と、を含む。
【００５０】
上記ステップによれば、第２通信ノードから送信された基準信号を受信した後、基準信号に関連する情報を第２通信ノードに送信し、即ち、第２通信ノードからの指示によって基準信号に関連する情報の報告を実現することで、基準信号に関連する情報を報告する課題を解決することができる。
【００５１】
一実施例では、上記情報に含まれる基準信号関連インデックスの数は、第１通信ノードに対して第２通信ノードによって設定された基準信号関連インデックスのフィードバック数以下である。
【００５２】
一実施例では、基準信号の基準信号受信電力と最大基準信号受信電力との差分が第１閾値以下である条件、基準信号の基準信号受信電力と基準信号の位置するグループ内の最大基準信号受信電力との差分が第２閾値以下である条件、基準信号の基準信号受信電力と指定基準信号における基準信号受信電力との差分が第３閾値以下である条件、基準信号の基準信号受信電力と差分基準信号受信電力を算出するための基準電力との差分が第４閾値以下である条件、及び基準信号の基準信号受信電力が第５閾値以上である条件、のうちの少なくとも１つを満たす場合、情報には基準信号関連インデックスが含まれる。
【００５３】
一実施例では、第１閾値、第２閾値、第３閾値、及び第５閾値は、第２通信ノードによって設定される値、及び予め定義される値のうちの１つによって決定され、第４閾値は、第２通信ノードによって設定される値、差分基準信号受信電力の変化範囲によって決定される値、及び予め定義される値のうちの１つによって決定される。
【００５４】
一実施例では、情報は第１情報及び第２情報を含み、第１情報は、基準信号関連インデックスの数、基準信号グループの数、基準信号グループのグループインデックス、各基準信号グループにおける最大基準信号の受信電力値、すべての基準信号の基準信号受信電力のうちの最大基準信号受信電力、差分基準信号受信電力を算出するための基準電力、差分基準信号受信電力を算出するための基準電力に関連付けられた基準信号関連インデックス、第２通信ノードによって指定された基準信号関連インデックス、及び第２通信ノードによって指定された基準信号の基準信号受信電力値のうちの少なくとも１つを含み、第２情報は、基準信号関連インデックス、及び基準信号受信電力のうちの少なくとも１つを含む。
【００５５】
一実施例では、第２情報に含まれる基準信号受信電力は差分基準信号受信電力である。
【００５６】
一実施例では、第２情報に含まれる基準信号関連インデックスはビットマップで指示される。
【００５７】
一実施例では、ＰＵＣＣＨリソースによって第１情報及び第２情報をフィードバックすること、ＰＵＳＣＨリソースによって第１情報及び第２情報をフィードバックすること、及びＰＵＣＣＨリソースによって第１情報をフィードバックし、ＰＵＳＣＨによって第２情報をフィードバックすること、のうちの１つによって、第１情報及び第２情報をフィードバックする。
【００５８】
一実施例では、上記方法は、ＰＵＣＣＨリソースによって第１情報をフィードバックし、ＰＵＳＣＨによって第２情報をフィードバックする場合、第２通信ノードが、差分基準信号受信電力の形で基準信号受信電力をフィードバックすることを第１通信ノードに指示するための第１情報を設定する能力を具備しないこと、第２通信ノードが第１情報を設定する能力を具備すること、第２通信ノードが第１通信ノードに対して第１情報を設定しないこと、及び第２通信ノードが第１通信ノードに対して第１情報を設定すること、のうちの１つをさらに含む。
【００５９】
一実施例では、第１情報の変調符号化方式は、第２情報の変調符号化方式と異なる。
【００６０】
一実施例では、上記方法は、基準信号が基準信号グループ内のＸ個の基準信号である場合、差分基準信号受信電力の形でＸ個の基準信号に対応する基準信号受信電力をフィードバックするステップ、Ｄ個の基準信号グループのそれぞれからＹ個の基準信号が選択された場合であって、基準信号が選択された基準信号である場合、差分基準信号受信電力の形で選択された基準信号に対応する基準信号受信電力をフィードバックするステップ、及び基準信号がＪ個の基準信号である場合、差分基準信号受信電力の形でＪ個の基準信号に対応する基準信号受信電力をフィードバックするステップ、のうちの少なくとも１つをさらに含み、Ｘ、Ｙ、Ｄ、Ｊは１以上の自然数である。
【００６１】
一実施例では、基準信号が基準信号グループ内のＸ個の基準信号である場合、Ｘ個の基準信号の差分基準信号受信電力を算出するための基準電力は、基準信号グループ内の指定基準信号の基準信号受信電力、基準信号グループ外の指定基準信号の基準信号受信電力、第２通信ノードによって設定された、差分基準信号受信電力を算出するための基準値、及びＸ個の基準信号のうちの指定基準信号の基準信号受信電力のうちの少なくとも１つを含む。
【００６２】
一実施例では、Ｄ個の基準信号グループのそれぞれからＹ個の基準信号が選択された場合であって、基準信号が選択された基準信号である場合、選択された基準信号の差分基準信号受信電力を算出するための基準電力は、Ｄ個の基準信号グループ内の指定基準信号の基準信号受信電力、Ｄ個の基準信号グループ外の指定基準信号の基準信号受信電力、第２通信ノードによって設定された、差分基準信号受信電力を算出するための基準値、及びＤ個の基準信号グループ内のＹ個の基準信号のうちの指定基準信号の基準信号受信電力のうちの少なくとも１つを含む。
【００６３】
一実施例では、基準信号がＪ個の基準信号である場合、Ｊ個の基準信号の差分基準信号受信電力を算出するための基準電力は、Ｊ個の基準信号のうちの指定基準信号の基準信号受信電力、第２通信ノードによって設定された、差分基準信号受信電力を算出するための基準値、及びＪ個の基準信号外の指定基準信号の基準信号受信電力のうちの少なくとも１つを含む。
【００６４】
一実施例では、指定基準信号が１つ又は複数の指定基準信号グループ内にある場合、指定基準信号は、１つ又は複数の指定基準信号グループ内の最大又は最小基準信号受信電力を有する基準信号、又は、指定基準信号はすべての基準信号のうち最大又は最小基準信号受信電力を有する基準信号である。
【００６５】
一実施例では、差分基準信号受信電力のステップ量は、予め定義されたステップ量に基づいて決定されること、差分基準信号受信電力を算出するための基準電力に基づいて決定されること、及び差分基準信号受信電力を算出するための基準電力及び第２通信ノードによって設定された閾値に基づいて決定されること、のうちの少なくとも１つによって決定され、複数の識別子によって複数の差分基準信号受信電力をフィードバックする場合、差分基準信号受信電力のステップ量は、複数の識別子のうちの第１識別子で指示される第１差分基準信号受信電力と、複数の識別子のうち、第１識別子に隣接する第２識別子で指示される第２差分基準信号受信電力との差である。
【００６６】
一実施例では、上記第１識別子は数字であってもよく、アルファベットであってもよいが、これらに限定されない。
【００６７】
一実施例では、上記第１識別子が数字であることを例に説明すると、即ち、上記複数の差分基準信号受信電力が数字の形式によってフィードバックできるとすると、例えば、５個の差分基準信号受信電力は数字１、２、３、４、５でフィードバックされ、数字２で識別される差分基準信号受信電力は数字１で識別される差分基準信号受信電力と上記ステップ量とを加算した値であり、上記数字３で識別される差分基準信号受信電力は数字２で識別される差分基準信号受信電力と上記ステップ量とを加算した値であり、以下同様である。
【００６８】
一実施例では、異なるタイプの基準信号に対して、差分基準信号受信電力の形で異なるタイプの基準信号の基準信号受信電力を個別にフィードバックすること、異なるタイプの基準信号に対して、差分基準信号受信電力の形で異なるタイプの基準信号の基準信号受信電力を同時にフィードバックすること、差分基準信号受信電力の形で第１タイプの基準信号の基準信号受信電力をフィードバックし、第２タイプの基準信号の基準信号受信電力を直接フィードバックすること、第２通信ノードによって設定された異なる基準信号集合に対して、差分基準信号受信電力の形で異なる基準信号集合の基準信号受信電力を個別にフィードバックすること、及び第１通信ノードによってフィードバックされた異なる基準信号グループに対して、差分基準信号受信電力の形で異なる基準信号グループの基準信号受信電力を個別にフィードバックすること、のうちの少なくとも１つによって、差分基準信号受信電力をフィードバックしてもよい。
【００６９】
一実施例では、基準信号の基準信号タイプが指定基準信号タイプである条件、及び基準信号の数が所定閾値以上である条件、のうちの少なくとも１つの条件下で、差分基準信号受信電力の形で基準信号受信電力をフィードバックする。
【００７０】
一実施例では、上記方法は、上記ステップＳ３０４の前に、第２通信ノードによって設定された、基準信号に関連する情報をフィードバックするための報告モードを取得するステップをさらに含んでもよく、報告モードは第１報告モード及び第２報告モードのうちの少なくとも１つを含み、第１報告モードと第２報告モードとの関係は、第１報告モードは第２報告モードよりも設定優先度が高いこと、第１報告モードで基準信号に関連する情報のフィードバックを限定するための閾値は、第２報告モードで基準信号に関連する情報のフィードバックを限定するための閾値未満であること、第１報告モードでは、第１通信ノードに対して第２通信ノードによって設定されたすべての基準信号に関連する情報を第２通信ノードにフィードバックすること、及び第２報告モードでは、第２通信ノードの基準信号に関連する情報の数は第１通信ノードに対して第２通信ノードによって設定された基準信号に関連する情報のフィードバック数以下であること、のうちの少なくとも１つを含む。
【００７１】
一実施例では、報告モードが第１報告モードである場合、基準信号の基準信号受信電力の順序位置は基準信号の基準信号関連インデックスを指示するものである。
【００７２】
一実施例では、第１報告モード及び第２報告モードでは、それぞれ差分基準信号受信電力の形で基準信号受信電力をフィードバックするか、又は、第１報告モードでは、基準信号受信電力を直接フィードバックし、第２報告モードでは、差分基準信号受信電力の形で基準信号受信電力をフィードバックするか、又は、第２報告モードでは、基準信号受信電力を直接フィードバックし、第１報告モードで、差分基準信号受信電力の形で基準信号受信電力をフィードバックする。
【００７３】
一実施例では、第１報告モード及び第２報告モードでは、それぞれ差分基準信号受信電力の形で基準信号受信電力をフィードバックする場合、第１報告モードでの差分報告における差分基準信号受信電力のステップ量と第２報告モードでの差分報告における差分基準信号受信電力のステップ量とは異なるか、又は、第１報告モードでの差分報告における差分基準信号受信電力のステップ量と第２報告モードでの差分報告における差分基準信号受信電力のステップ量とはそれぞれ設定される。
【００７４】
一実施例では、上記図３に示される実施例におけるステップの実行本体は第１通信ノード、例えば端末であってもよいが、これに限定されない。
【００７５】
以上の実施形態についての説明から明らかなように、当業者は上記実施例に係る方法をソフトウェアと必要な汎用ハードウェアプラットフォームとの組合せによって実現してもよく、勿論、ハードウェアによって実現してもよいが、多くの場合、前者のほうがより好ましい実施形態であると理解できる。このような理解に基づいて、本発明の技術案は本質的に又は従来技術に貢献する部分はソフトウェア製品として具現化でき、当該コンピュータソフトウェア製品は記憶媒体（例えば、ＲＯＭ／ＲＡＭ、磁気ディスク、光ディスク）に記憶され、端末装置（携帯電話、コンピュータ、サーバ、又はネットワーク装置等が挙げられる）に本発明の各実施例の方法を実行させるための複数の命令を含む。
【００７６】
本発明の実施例は、第２通信ノードに適用される情報受信方法を提供する。図４は本発明の実施例に係る情報受信方法の概略フローチャート１であり、図４に示すように、当該方法は、
前記第１通信ノードに対して、第１タイプのシグナリング回数閾値、累計時間閾値、ＰＵＣＣＨ、ＰＲＡＣＨ、及びビームが回復されたＰＲＡＣＨのうちの少なくとも１つの情報を設定し、前記第１タイプのシグナリングの送信回数が前記第１タイプのシグナリング回数閾値を超える場合、前記第１タイプのシグナリングの送信を停止し、計時ユニットの計時開始点と前記第１タイプのシグナリングの送信時刻との間の時間が前記累計時間閾値を超える場合、前記第１タイプのシグナリングの送信を停止するステップＳ４０２と、
第１通信ノードから送信された第１タイプのシグナリングを受信するステップＳ４０４と、を含み、前記第１タイプのシグナリングは、ビーム関連パラメータ集合のうちのＫ（Ｋは１以上の整数）個の要素が前記Ｋ個の要素に対応する第１タイプの閾値を超える場合に前記第１通信ノードによって生成されたシグナリングであり、前記第１タイプのシグナリングに、基準信号に関連する情報が担持されている。
【００７７】
上記ステップによれば、ビーム関連パラメータ集合のうちのＫ個の要素がＫ個の要素に対応する第１タイプの閾値を超える場合、第１通信ノードから送信された、基準信号に関連する情報が担持されている第１タイプのシグナリングを受信し、即ち、第１通信ノードが能動的に報告することによって基準信号に関連する情報の報告を実現することで、基準信号に関連する情報を報告する課題を解決することができる。
【００７８】
一実施例では、上記ステップＳ４０４は上記ステップＳ４０２と組み合わせてもよく、別々に実行してもよいが、これらに限定されない。
【００７９】
一実施例では、上記ステップＳ４０４は、物理アップリンク制御チャネルＰＵＣＣＨ、及び物理ランダムアクセスチャネルＰＲＡＣＨのうちの少なくとも１つのチャネルによって、前記第１タイプのシグナリングを受信するようにしてもよく、前記ＰＲＡＣＨは競合ベースのＰＲＡＣＨ又は競合フリーＰＲＡＣＨを含む。
【００８０】
一実施例では、上記ステップＳ４０２は、前記第１通信ノードの能力に応じて前記第１通信ノードに対して前記情報を設定するようにしてもよく、前記第１通信ノードの能力は、前記第１通信ノードがビーム関連付けをサポートする能力、前記第１通信ノードが非ビーム関連付けをサポートする能力、前記第１通信ノードが一部のビーム関連付けをサポートする能力、及び前記第１通信ノードのアンテナパラメータのうちの少なくとも１つを含む。
【００８１】
一実施例では、基準信号に関連する情報は、基準信号インデックス、チャネル状態情報、及び基準信号受信電力のうちの少なくとも１つを含む。
【００８２】
一実施例では、第１タイプのシグナリングに基準信号に関連する情報が直接担持されているか、又は、第１タイプのシグナリングに使用される時間周波数コードリソース位置は基準信号に関連する情報を指示するものである。
【００８３】
一実施例では、Ｎ個のＰＲＡＣＨに関連付けられた基準信号がチャネル特性条件を満たす場合、Ｎ個のＰＲＡＣＨリソースが同一時間領域単位に割り当てられるか、又は、Ｎ個のＰＲＡＣＨが周波数分割多重化ＦＤＭをサポートする。時間領域単位は、スロット、サブフレーム、シンボル、シンボル集合のうちの少なくとも１つを含む。
【００８４】
一実施例では、上記基準信号は、チャネル状態情報基準信号ＣＳＩ−ＲＳ、及び同期信号ブロックＳＳ  ｂｌｏｃｋのうちの少なくとも１つを含む。
【００８５】
一実施例では、上記方法は、上記ステップＳ４０４の前に、第２タイプのシグナリングを第１通信ノードに送信するステップであって、第２タイプのシグナリングに所定のＰＲＡＣＨリソースが担持され、所定のＰＲＡＣＨリソースは設定済み又は予め定義されたＰＲＡＣＨリソース集合から選択されるＰＲＡＣＨリソースであり、所定のＰＲＡＣＨリソースは第１タイプのシグナリングによって占有されるＰＲＡＣＨリソースの時間領域及び／又は周波数領域位置を指示するのに用いられるステップ、及び、第３タイプのシグナリングを第１、２通信ノードに送信するステップであって、第３タイプのシグナリングに、第１タイプのシグナリングのＰＲＡＣＨリソースに関連付けられた所定のＣＳＩ−ＲＳリソース及び／又はＳＳ  ｂｌｏｃｋが担持され、所定のＣＳＩ−ＲＳリソース及び／又はＳＳ  ｂｌｏｃｋは設定済み又は予め定義されたＣＳＩ−ＲＳリソース集合及び／又はＳＳ  ｂｌｏｃｋ集合から選択されるものであり、所定のＣＳＩ−ＲＳリソース及び／又はＳＳ  ｂｌｏｃｋは第１タイプのシグナリングによって占有されるＰＲＡＣＨリソースに関連付けられたものであるステップ、のうちの少なくとも１つをさらに含んでもよい。
【００８６】
一実施例では、第１タイプのシグナリングによって占有されるＰＲＡＣＨリソースは、第１タイプのシグナリングによって占有されるＰＲＡＣＨに関連付けられたＳＳ  ｂｌｏｃｋに対応する初期アクセスされるＰＲＡＣＨリソースであり、第１タイプのシグナリングによって占有されるＰＲＡＣＨリソースは、第１タイプのシグナリングによって占有されるＰＲＡＣＨに関連付けられたＣＳＩ−ＲＳの、同一チャネル特徴条件を満たすＳＳ  ｂｌｏｃｋに対応する初期アクセスされるＰＲＡＣＨリソースである。
【００８７】
一実施例では、第２タイプのシグナリングは第１ビットマップを含み、第１ビットマップにおけるビットの値が第１指定値である場合、ＰＲＡＣＨリソース集合のうちのビットに対応するＰＲＡＣＨリソースが選択され、第３タイプのシグナリングは第２ビットマップを含み、第２ビットマップにおけるビットの値が第２指定値である場合、ＣＳＩ−ＲＳリソース集合及び／又はＳＳ  ｂｌｏｃｋ集合のうちのビットに対応するＣＳＩ−ＲＳリソース及び／又はＳＳ  ｂｌｏｃｋが選択される。
【００８８】
一実施例では、上記方法は、第１通信ノードに対して、同一時間領域単位に位置するＰＲＡＣＨ間の周波数領域間隔を指示するための周波数領域ステップ量を設定するステップをさらに含む。
【００８９】
一実施例では、第１通信ノードに対して周波数領域ステップ量を設定することは、上記ステップＳ３０４の前又は後に実行されてもよいが、これに限定されない。
【００９０】
一実施例では、ＰＵＣＣＨによる第１タイプのシグナリングの送信とＰＲＡＣＨによる第１タイプのシグナリングの送信は同一の設定情報を使用し、設定情報は、第２通信ノードの応答ウィンドウの持続時間、第２通信ノードの応答ウィンドウと第１タイプのシグナリングを第２通信ノードに送信する時間との間の時間オフセット、制御チャネルリソース集合ＣＯＲＥＳＥＴリソース、及び検索空間のうちの少なくとも１つを含む。
【００９１】
一実施例では、上記ステップの実行本体は第２通信ノード、例えば、基地局等であってもよいが、これに限定されない。
【００９２】
本発明の実施例は、第２通信ノードに適用される情報送信方法をさらに提供する。図５は本発明の実施例に係る情報送信方法の概略フローチャート２であり、図５に示すように、当該方法は、
基準信号を第１通信ノードに送信するステップＳ５０２と、
前記第１通信ノードからフィードバックされた、前記基準信号に関連する情報を受信するステップＳ５０４と、を含み、前記情報は、基準信号関連インデックスの情報、及び基準信号受信電力の情報のうちの少なくとも１つを含む。
【００９３】
上記ステップによれば、基準信号を第１通信ノードに送信した後、第１通信ノードから送信された、基準信号に関連する情報を受信し、即ち、第１通信ノードが第２通信ノードからの指示によって基準信号に関連する情報の報告を実現することで、基準信号に関連する情報を報告する課題を解決することができる。
【００９４】
一実施例では、上記情報に含まれる基準信号関連インデックスの数は、第１通信ノードに対して第２通信ノードによって設定された基準信号関連インデックスのフィードバック数以下である。
【００９５】
一実施例では、基準信号の基準信号受信電力と最大基準信号受信電力との差分が第１閾値以下である条件、基準信号の基準信号受信電力と基準信号の位置するグループ内の最大基準信号受信電力との差分が第２閾値以下である条件、基準信号の基準信号受信電力と指定基準信号における基準信号受信電力との差分が第３閾値以下である条件、基準信号の基準信号受信電力と差分基準信号受信電力を算出するための基準電力との差分が第４閾値以下である条件、及び基準信号の基準信号受信電力が第５閾値以上である条件、のうちの少なくとも１つを満たす場合、情報には基準信号関連インデックスが含まれる。
【００９６】
一実施例では、第１閾値、第２閾値、第３閾値、及び第５閾値は、第２通信ノードによって設定される値、及び予め定義される値のうちの１つによって決定され、第４閾値は、第２通信ノードによって設定される値、差分基準信号受信電力の変化範囲によって決定される値、及び予め定義される値のうちの１つによって決定される。
【００９７】
一実施例では、情報は第１情報及び第２情報を含み、第１情報は、基準信号関連インデックスの数、基準信号グループの数、基準信号グループのグループインデックス、各基準信号グループにおける最大基準信号の受信電力値、すべての基準信号の基準信号受信電力のうちの最大基準信号受信電力、差分基準信号受信電力を算出するための基準電力、差分基準信号受信電力を算出するための基準電力に関連付けられた基準信号関連インデックス、第２通信ノードによって指定された基準信号関連インデックス、及び第２通信ノードによって指定された基準信号の基準信号受信電力値のうちの少なくとも１つを含み、第２情報は、基準信号関連インデックス、及び基準信号受信電力のうちの少なくとも１つを含む。
【００９８】
一実施例では、第２情報に含まれる基準信号受信電力は差分基準信号受信電力である。
【００９９】
一実施例では、第２情報に含まれる基準信号関連インデックスはビットマップで指示される。
【０１００】
一実施例では、ＰＵＣＣＨリソースによって第１情報及び第２情報をフィードバックすること、ＰＵＳＣＨリソースによって第１情報及び第２情報をフィードバックすること、及びＰＵＣＣＨリソースによって第１情報をフィードバックし、ＰＵＳＣＨによって第２情報をフィードバックすること、のうちの１つによって、第１通信ノードからフィードバックされた第１情報及び第２情報を受信する。
【０１０１】
一実施例では、上記方法は、ＰＵＣＣＨリソースによって第１情報をフィードバックし、ＰＵＳＣＨによって第２情報をフィードバックする場合、第２通信ノードが、差分基準信号受信電力の形で基準信号受信電力をフィードバックすることを第１通信ノードに指示するための第１情報を設定する能力を具備しないこと、第２通信ノードが第１情報を設定する能力を具備すること、第２通信ノードが第１通信ノードに対して第１情報を設定しないこと、及び第２通信ノードが第１通信ノードに対して第１情報を設定すること、のうちの１つをさらに含む。
【０１０２】
一実施例では、第１情報の変調符号化方式は、第２情報の変調符号化方式と異なる。
【０１０３】
一実施例では、上記方法は、基準信号が基準信号グループ内のＸ個の基準信号である場合、差分基準信号受信電力の形でＸ個の基準信号に対応する基準信号受信電力を受信するステップ、Ｄ個の基準信号グループのそれぞれからＹ個の基準信号が選択された場合であって、基準信号が選択された基準信号である場合、差分基準信号受信電力の形で選択された基準信号に対応する基準信号受信電力を受信するステップ、及び基準信号がＪ個の基準信号である場合、差分基準信号受信電力の形でＪ個の基準信号に対応する基準信号受信電力を受信するステップ、のうちの少なくとも１つをさらに含み、Ｘ、Ｙ、Ｄ、Ｊは１以上の自然数である。
【０１０４】
一実施例では、基準信号が基準信号グループ内のＸ個の基準信号である場合、Ｘ個の基準信号の差分基準信号受信電力を算出するための基準電力は、基準信号グループ内の指定基準信号の基準信号受信電力、基準信号グループ外の指定基準信号の基準信号受信電力、第２通信ノードによって設定された、差分基準信号受信電力を算出するための基準値、及びＸ個の基準信号のうちの指定基準信号の基準信号受信電力のうちの少なくとも１つを含む。
【０１０５】
一実施例では、Ｄ個の基準信号グループのそれぞれからＹ個の基準信号が選択された場合であって、基準信号が選択された基準信号である場合、選択された基準信号の差分基準信号受信電力を算出するための基準電力は、Ｄ個の基準信号グループ内の指定基準信号の基準信号受信電力、Ｄ個の基準信号グループ外の指定基準信号の基準信号受信電力、第２通信ノードによって設定された、差分基準信号受信電力を算出するための基準値、及びＤ個の基準信号グループ内のＹ個の基準信号のうちの指定基準信号の基準信号受信電力のうちの少なくとも１つを含む。
【０１０６】
一実施例では、基準信号がＪ個の基準信号である場合、Ｊ個の基準信号の差分基準信号受信電力を算出するための基準電力は、Ｊ個の基準信号のうちの指定基準信号の基準信号受信電力、第２通信ノードによって設定された、差分基準信号受信電力を算出するための基準値、及びＪ個の基準信号外の指定基準信号の基準信号受信電力のうちの少なくとも１つを含む。
【０１０７】
一実施例では、指定基準信号が１つ又は複数の指定基準信号グループ内にある場合、指定基準信号は、１つ又は複数の指定基準信号グループ内の最大又は最小基準信号受信電力を有する基準信号、又は、指定基準信号はすべての基準信号のうち最大又は最小基準信号受信電力を有する基準信号である。
【０１０８】
一実施例では、差分基準信号受信電力のステップ量は、予め定義されたステップ量に基づいて決定されること、差分基準信号受信電力を算出するための基準電力に基づいて決定されること、及び差分基準信号受信電力を算出するための基準電力及び第２通信ノードによって設定された閾値に基づいて決定されること、のうちの少なくとも１つによって決定され、複数の識別子によって複数の差分基準信号受信電力を受信する場合、差分基準信号受信電力のステップ量は、複数の識別子のうちの第１識別子で指示される第１差分基準信号受信電力と、複数の識別子のうち、第１識別子に隣接する第２識別子で指示される第２差分基準信号受信電力との差である。
【０１０９】
一実施例では、上記第１識別子は数字であってもよく、アルファベットであってもよいが、これらに限定されない。
【０１１０】
一実施例では、上記第１識別子が数字であることを例に説明すると、即ち、上記複数の差分基準信号受信電力が数字の形式によってフィードバックできるとすると、例えば、５個の差分基準信号受信電力は数字１、２、３、４、５で受信され、数字２で識別される差分基準信号受信電力は数字１で識別される差分基準信号受信電力と上記ステップ量とを加算した値であり、上記数字３で識別される差分基準信号受信電力は数字２で識別される差分基準信号受信電力と上記ステップ量とを加算した値であり、以下同様である。
【０１１１】
一実施例では、異なるタイプの基準信号に対して、差分基準信号受信電力の形で異なるタイプの基準信号の基準信号受信電力を個別に受信すること、異なるタイプの基準信号に対して、差分基準信号受信電力の形で異なるタイプの基準信号の基準信号受信電力を同時に受信すること、差分基準信号受信電力の形で第１タイプの基準信号の基準信号受信電力を受信し、第２タイプの基準信号の基準信号受信電力を直接受信すること、第２通信ノードによって設定された異なる基準信号集合に対して、差分基準信号受信電力の形で異なる基準信号集合の基準信号受信電力を個別に受信すること、及び第１通信ノードによって受信される異なる基準信号グループに対して、差分基準信号受信電力の形で異なる基準信号グループの基準信号受信電力を個別に受信すること、のうちの少なくとも１つによって、差分基準信号受信電力を受信する。
【０１１２】
一実施例では、基準信号の基準信号タイプが指定基準信号タイプである条件、及び基準信号の数が所定閾値以上である条件、のうちの少なくとも１つの条件下で、差分基準信号受信電力の形で基準信号受信電力を受信する。
【０１１３】
一実施例では、上記方法は、上記ステップＳ５０４の前に、前記第１通信ノードに対して、基準信号に関連する情報を受信するための報告モードを設定するステップをさらに含んでもよく、報告モードは第１報告モード及び第２報告モードのうちの少なくとも１つを含み、第１報告モードと第２報告モードとの関係は、第１報告モードは第２報告モードよりも設定優先度が高いこと、第１報告モードで基準信号に関連する情報の受信を限定する閾値は第２報告モードで基準信号に関連する情報の受信を限定するための閾値未満であること、第１報告モードでは、第１通信ノードに対して第２通信ノードによって設定されたすべての基準信号に関連する情報を第２通信ノードが受信すること、及び第２報告モードでは、第２通信ノードの基準信号に関連する情報の数は第１通信ノードに対して第２通信ノードによって設定された基準信号に関連する情報のフィードバック数以下であること、のうちの少なくとも１つを含む。
【０１１４】
一実施例では、報告モードが第１報告モードである場合、基準信号の基準信号受信電力の順序位置は基準信号の基準信号関連インデックスを指示するものである。
【０１１５】
一実施例では、第１報告モード及び第２報告モードでは、それぞれ差分基準信号受信電力の形で基準信号受信電力を受信するか、又は、第１報告モードでは、基準信号受信電力を直接受信し、第２報告モードでは、差分基準信号受信電力の形で基準信号受信電力を受信するか、又は、第２報告モードでは、基準信号受信電力を直接受信し、第１報告モードでは、差分基準信号受信電力の形で基準信号受信電力を受信する。
【０１１６】
一実施例では、第１報告モード及び第２報告モードでは、それぞれ差分基準信号受信電力の形で基準信号受信電力を受信する場合、第１報告モードでの差分報告における差分基準信号受信電力のステップ量と第２報告モードでの差分報告における差分基準信号受信電力のステップ量とは異なるか、又は、第１報告モードでの差分報告における差分基準信号受信電力のステップ量と第２報告モードでの差分報告における差分基準信号受信電力のステップ量とはそれぞれ設定される。
【０１１７】
一実施例では、上記図５に示される実施例におけるステップの実行本体は第２通信ノード、例えば基地局であってもよいが、これに限定されない。
【０１１８】
図６は本発明の実施例に係る情報送信装置の構成ブロック図１であり、図６に示すように、当該装置は第１通信ノードに位置し、
ビーム関連パラメータ集合のうちのＫ（Ｋは１以上の整数）個の要素が前記Ｋ個の要素に対応する第１タイプの閾値を超える場合、第１タイプのシグナリングを生成するように構成された生成モジュール６２と、
上記生成モジュール６２に接続され、基準信号に関連する情報が担持されている前記第１タイプのシグナリングを第２通信ノードに送信するように構成された送信モジュール６４と、を含む。
【０１１９】
上記装置によれば、ビーム関連パラメータ集合のうちのＫ個の要素がＫ個の要素に対応する第１タイプの閾値を超える場合、基準信号に関連する情報が担持されている第１タイプのシグナリングを生成し、第１タイプのシグナリングを第２通信ノードに送信し、即ち、能動的報告によって基準信号に関連する情報の報告を実現することで、基準信号に関連する情報を報告する課題を解決することができる。
【０１２０】
一実施例では、上記送信モジュール６２はさらに、ＰＵＣＣＨ、及びＰＲＡＣＨのうちの少なくとも１つのチャネルによって、第１タイプのシグナリングを第２通信ノードに送信するように構成され、ＰＲＡＣＨは競合ベースのＰＲＡＣＨ又は競合フリーＰＲＡＣＨを含む。
【０１２１】
一実施例では、基準信号に関連する情報は、基準信号インデックス、チャネル状態情報、及び基準信号受信電力のうちの少なくとも１つを含む。
【０１２２】
一実施例では、第１タイプのシグナリングに基準信号に関連する情報が直接担持されているか、又は、第１タイプのシグナリングに使用される時間周波数コードリソース位置は基準信号に関連する情報を指示するものである。
【０１２３】
一実施例では、上記ステップＳ２０４の前に、上記装置は、上記送信モジュール６４に接続され、第１通信ノードに対して第２通信ノードによって設定された第１タイプのシグナリング回数閾値、及び累計時間閾値のうちの少なくとも１つの閾値情報を受信するように構成された受信モジュールをさらに含んでもよく、第１タイプのシグナリングの送信回数が第１タイプのシグナリング回数閾値を超える場合、第１タイプのシグナリングの送信を停止し、計時ユニットの計時開始点と第１タイプのシグナリングの送信時刻との間の時間が累計時間閾値を超える場合、第１タイプのシグナリングの送信を停止する。能動的報告に対して閾値を設定し、即ち、能動的報告に対して設定制限を行うことで、報告の効率を向上させることができる。
【０１２４】
一実施例では、上記送信モジュール６４はさらに、第１タイプのシグナリングの送信回数が第１タイプのシグナリング回数閾値を超える場合、及び／又は、計時ユニットの計時時間が累計時間閾値を超える場合、指定情報を上位層に送信するステップ、第１タイプのシグナリング回数閾値に達する第１タイプのシグナリングを送信してからの第１所定時間以内に、第２通信ノードから送信された第１タイプのシグナリングの応答メッセージが受信されていない場合、指定情報を上位層に送信するステップ、及び、計時ユニットの計時時間が累計時間閾値を超えてからの第２所定時間以内に、上位層は指定情報を送信するステップ、のうちの少なくとも１つを実行するように構成される。
【０１２５】
一実施例では、指定情報は、ビーム回復失敗を指示するための情報、及び無線リンク障害のトリガー条件のうちの少なくとも１つの情報を含む。
【０１２６】
一実施例では、上記計時開始点は、リンク又はビーム障害が検出された時刻、リンク又はビーム障害が検出された時刻が位置するタイムウィンドウのマーク時刻、ビーム障害検出結果が所定閾値に達する時刻、ビーム障害検出結果が所定閾値に達する時刻が位置するタイムウィンドウのマーク時刻、第１タイプのシグナリングを初めて送信する時刻、第１タイプのシグナリングを初めて送信する時刻が位置するタイムウィンドウのマーク時刻、第１タイプのシグナリングを搬送するためのアップリンクリソースを設定する時刻、第１タイプのシグナリングを搬送するためのアップリンクリソースを設定する時刻が位置するタイムウィンドウのマーク時刻、第１タイプのシグナリングによって搬送された基準信号インデックスの送信時刻、第１タイプのシグナリングによって搬送された基準信号インデックスの送信時刻が位置するタイムウィンドウのマーク時刻、ＰＵＣＣＨによって第１タイプのシグナリングを初めて送信する時刻、ＰＵＣＣＨによって第１タイプのシグナリングを初めて送信する時刻が位置するタイムウィンドウのマーク時刻、ＰＲＡＣＨによって第１タイプのシグナリングを初めて送信する時刻、及びＰＲＡＣＨによって第１タイプのシグナリングを初めて送信する時刻が位置するタイムウィンドウのマーク時刻のうちの１つである。
【０１２７】
一実施例では、タイムウィンドウのマーク時刻は、タイムウィンドウの開始時刻、タイムウィンドウの中間時刻、及びタイムウィンドウの終了時刻のうちの１つを含む。
【０１２８】
一実施例では、上記第１タイプのシグナリングの送信回数は、ＰＵＣＣＨリソースによって第１タイプのシグナリングを送信する回数、ＰＲＡＣＨリソースによって第１タイプのシグナリングを送信する回数、及びＰＲＡＣＨによって第１タイプのシグナリングを送信する回数とＰＵＣＣＨリソースによって第１タイプのシグナリングを送信する回数との和のうちの少なくとも１つを含む。
【０１２９】
一実施例では、Ｎ個のＰＲＡＣＨに関連付けられた基準信号がチャネル特性条件を満たす場合、Ｎ個のＰＲＡＣＨリソースが同一時間領域単位に割り当てられるか、又は、Ｎ個のＰＲＡＣＨが周波数分割多重化ＦＤＭをサポートする。ここで、時間領域単位は、スロット、サブフレーム、シンボル、及びシンボル集合のうちの少なくとも１つを含む。
【０１３０】
一実施例では、上記基準信号は、チャネル状態情報基準信号ＣＳＩ−ＲＳ、及び同期信号ブロックＳＳ  ｂｌｏｃｋのうちの少なくとも１つを含む。
【０１３１】
一実施例では、上記装置は、上記送信モジュール６４に接続される決定モジュールをさらに含み、決定モジュールは、第１タイプのシグナリングのＰＲＡＣＨに関連付けられたＳＳ  ｂｌｏｃｋに対応する初期アクセスされるＰＲＡＣＨの時間領域位置によって、第１タイプのシグナリングによって占有されるＰＲＡＣＨリソースの時間領域位置を決定すること、第１タイプのシグナリングのＰＲＡＣＨに関連付けられたＳＳ  ｂｌｏｃｋに対応する初期アクセスされるＰＲＡＣＨリソースによって、第１タイプのシグナリングによって占有されるＰＲＡＣＨリソースを決定すること、同一チャネル特徴条件を満たすＳＳ  ｂｌｏｃｋに対応する初期アクセスされるＰＲＡＣＨの時間領域位置によって、第１タイプのシグナリングによって占有されるＰＲＡＣＨリソースの時間領域位置を決定すること、及び同一チャネル特徴条件を満たすＳＳ  ｂｌｏｃｋに対応する初期アクセスされるＰＲＡＣＨリソースによって、第１タイプのシグナリングによって占有されるＰＲＡＣＨリソースを決定すること、のうちの少なくとも１つによって、第１タイプのシグナリングのＰＲＡＣＨリソースを決定するように構成され、第１タイプのシグナリングのＰＲＡＣＨに関連付けられたＳＳ  ｂｌｏｃｋに対応する初期アクセスされるＰＲＡＣＨの時間領域オフセットと、第１タイプのシグナリングによって占有されるＰＲＡＣＨリソースの時間領域オフセットとは同じであり、第１タイプのシグナリングのＰＲＡＣＨに関連付けられたＳＳ  ｂｌｏｃｋに対応する初期アクセスされるＰＲＡＣＨの時間周波数オフセットと、第１タイプのシグナリングによって占有されるＰＲＡＣＨリソースの時間周波数オフセットとは同じであり、同一チャネル特徴条件を満たすＳＳ  ｂｌｏｃｋに対応する初期アクセスされるＰＲＡＣＨの時間領域オフセットと、第１タイプのシグナリングによって占有されるＰＲＡＣＨリソースの時間領域位置とは同じであり、同一チャネル特徴仮定を満たすＳＳ  ｂｌｏｃｋに対応する初期アクセスされるＰＲＡＣＨの時間周波数オフセットと、第１タイプのシグナリングによって占有されるＰＲＡＣＨリソースの時間周波数位置とは同じであり、同一チャネル特徴条件を満たすＳＳ  ｂｌｏｃｋは第１タイプのシグナリングによって占有されるＰＲＡＣＨに関連付けられたＣＳＩ−ＲＳのＳＳ  ｂｌｏｃｋである。
【０１３２】
一実施例では、上記装置は、上記送信モジュール６４に接続される受信モジュールをさらに含み、受信モジュールは、第２通信ノードから送信された第２タイプのシグナリングを受信し、第２タイプのシグナリングに所定のＰＲＡＣＨリソースが担持され、所定のＰＲＡＣＨリソースは設定済み又は予め定義されたＰＲＡＣＨリソース集合から選択されたＰＲＡＣＨリソースであり、所定のＰＲＡＣＨリソースは第１タイプのシグナリングによって占有されるＰＲＡＣＨリソースの時間領域及び／又は周波数領域位置を指示するのに用いられるステップ、及び第２通信ノードから送信された第３タイプのシグナリングを受信し、第３タイプのシグナリングに、第１タイプのシグナリングのＰＲＡＣＨリソースに関連付けられた所定のＣＳＩ−ＲＳリソース及び／又はＳＳ  ｂｌｏｃｋが担持され、所定のＣＳＩ−ＲＳリソース及び／又はＳＳ  ｂｌｏｃｋは設定済み又は予め定義されたＣＳＩ−ＲＳリソース集合及び／又はＳＳ  ｂｌｏｃｋ集合から選択されたものであり、所定のＣＳＩ−ＲＳリソース及び／又はＳＳ  ｂｌｏｃｋは第１タイプのシグナリングによって占有されるＰＲＡＣＨリソースに関連付けられたものであるステップ、のうちの少なくとも１つを実行するように構成される。
【０１３３】
一実施例では、第１タイプのシグナリングによって占有されるＰＲＡＣＨリソースは、第１タイプのシグナリングによって占有されるＰＲＡＣＨに関連付けられたＳＳ  ｂｌｏｃｋに対応する初期アクセスされるＰＲＡＣＨリソースであり、第１タイプのシグナリングによって占有されるＰＲＡＣＨリソースは、第１タイプのシグナリングによって占有されるＰＲＡＣＨに関連付けられたＣＳＩ−ＲＳの、同一チャネル特徴条件を満たすＳＳ  ｂｌｏｃｋに対応する初期アクセスされるＰＲＡＣＨリソースである。
【０１３４】
一実施例では、第２タイプのシグナリングは第１ビットマップを含み、第１ビットマップにおけるビットの値が第１指定値である場合、ＰＲＡＣＨリソース集合のうちのビットに対応するＰＲＡＣＨリソースが選択され、第３タイプのシグナリングは第２ビットマップを含み、第２ビットマップにおけるビットの値が第２指定値である場合、ＣＳＩ−ＲＳリソース集合及び／又はＳＳ  ｂｌｏｃｋ集合のうちのビットに対応するＣＳＩ−ＲＳリソース及び／又はＳＳ  ｂｌｏｃｋが選択される。
【０１３５】
一実施例では、上記受信モジュールはさらに、第２通信ノードによって設定された周波数領域ステップ量を受信するように構成される。ここで、周波数領域ステップ量は、同一時間領域単位に位置するＰＲＡＣＨ間の周波数領域間隔を指示するものである。
【０１３６】
一実施例では、ＰＵＣＣＨによる第１タイプのシグナリングの送信とＰＲＡＣＨによる第１タイプのシグナリングの送信は同一の設定情報を使用し、設定情報は、第２通信ノードの応答ウィンドウの持続時間、第２通信ノードの応答ウィンドウと、第１タイプのシグナリングを第２通信ノードに送信する時間との間の時間オフセット、制御チャネルリソース集合ＣＯＲＥＳＥＴリソース、及び検索空間のうちの少なくとも１つを含む。
【０１３７】
本発明の実施例は、第１通信ノードに適用される情報送信装置をさらに提供する。図７は本発明の実施例に係る情報送信装置の構成ブロック図２であり、図７に示すように、当該装置は、
第２通信ノードから送信された基準信号を受信するように構成された受信モジュール７２と、
上記受信モジュール７２に接続され、前記基準信号に関連する情報であって、基準信号関連インデックスの情報、及び基準信号受信電力の情報のうちの少なくとも１つを含む情報を決定するように構成された決定モジュール７４と、
上記決定モジュール７４に接続され、決定された前記情報を前記第２通信ノードにフィードバックするように構成された報告モジュール７６と、を含む。
【０１３８】
上記装置によれば、第２通信ノードから送信された基準信号を受信した後、基準信号に関連する情報を第２通信ノードに送信し、即ち、第２通信ノードからの指示によって基準信号に関連する情報の報告を実現することで、基準信号に関連する情報を報告する課題を解決することができる。
【０１３９】
一実施例では、上記情報に含まれる基準信号関連インデックスの数は、第１通信ノードに対して第２通信ノードによって設定された基準信号関連インデックスのフィードバック数以下である。
【０１４０】
一実施例では、基準信号の基準信号受信電力と最大基準信号受信電力との差分が第１閾値以下である条件、基準信号の基準信号受信電力と基準信号の位置するグループ内の最大基準信号受信電力との差分が第２閾値以下である条件、基準信号の基準信号受信電力と指定基準信号における基準信号受信電力との差分が第３閾値以下である条件、基準信号の基準信号受信電力と差分基準信号受信電力を算出するための基準電力との差分が第４閾値以下である条件、及び基準信号の基準信号受信電力が第５閾値以上である条件、のうちの少なくとも１つを満たす場合、情報には基準信号関連インデックスが含まれる。
【０１４１】
一実施例では、第１閾値、第２閾値、第３閾値、及び第５閾値は、第２通信ノードによって設定される値、及び予め定義される値のうちの１つによって決定され、第４閾値は、第２通信ノードによって設定される値、差分基準信号受信電力の変化範囲によって決定される値、及び予め定義される値のうちの１つによって決定される。
【０１４２】
一実施例では、情報は第１情報及び第２情報を含み、第１情報は、基準信号関連インデックスの数、基準信号グループの数、基準信号グループのグループインデックス、各基準信号グループにおける最大基準信号の受信電力値、すべての基準信号の基準信号受信電力のうちの最大基準信号受信電力、差分基準信号受信電力を算出するための基準電力、差分基準信号受信電力を算出するための基準電力に関連付けられた基準信号関連インデックス、第２通信ノードによって指定された基準信号関連インデックス、及び第２通信ノードによって指定された基準信号の基準信号受信電力値のうちの少なくとも１つを含み、第２情報は、基準信号関連インデックス、及び基準信号受信電力のうちの少なくとも１つを含む。
【０１４３】
一実施例では、第２情報に含まれる基準信号受信電力は差分基準信号受信電力である。
【０１４４】
一実施例では、第２情報に含まれる基準信号関連インデックスはビットマップで指示される。
【０１４５】
一実施例では、上記報告モジュール７６はさらに、ＰＵＣＣＨリソースによって第１情報及び第２情報をフィードバックすること、ＰＵＳＣＨリソースによって第１情報及び第２情報をフィードバックすること、及びＰＵＣＣＨリソースによって第１情報をフィードバックし、ＰＵＳＣＨによって第２情報をフィードバックすること、のうちの１つによって、第１情報及び第２情報をフィードバックするように構成される。
【０１４６】
一実施例では、ＰＵＣＣＨリソースによって第１情報をフィードバックし、ＰＵＳＣＨによって第２情報をフィードバックする場合、第２通信ノードが差分基準信号受信電力の形で基準信号受信電力をフィードバックすることを第１通信ノードに指示するための第１情報を設定する能力を具備しないこと、第２通信ノードが第１情報を設定する能力を具備すること、第２通信ノードが第１通信ノードに対して第１情報を設定しないこと、及び第２通信ノードが第１通信ノードに対して第１情報を設定すること、のうちの１つを含む。
一実施例では、第１情報の変調符号化方式は、第２情報の変調符号化方式と異なる。
【０１４７】
一実施例では、上記報告モジュール７６はさらに、基準信号が基準信号グループ内のＸ個の基準信号である場合、差分基準信号受信電力の形でＸ個の基準信号に対応する基準信号受信電力をフィードバックするステップ、Ｄ個の基準信号グループのそれぞれからＹ個の基準信号が選択された場合であって、基準信号が選択された基準信号である場合、差分基準信号受信電力の形で選択された基準信号に対応する基準信号受信電力をフィードバックするステップ、及び基準信号がＪ個の基準信号である場合、差分基準信号受信電力の形でＪ個の基準信号に対応する基準信号受信電力をフィードバックするステップ、のうちの少なくとも１つを実行するように構成され、Ｘ、Ｙ、Ｄ、Ｊが１以上の自然数である。
【０１４８】
一実施例では、基準信号が基準信号グループ内のＸ個の基準信号である場合、Ｘ個の基準信号の差分基準信号受信電力を算出するための基準電力は、基準信号グループ内の指定基準信号の基準信号受信電力、基準信号グループ外の指定基準信号の基準信号受信電力、第２通信ノードによって設定された、差分基準信号受信電力を算出するための基準値、及びＸ個の基準信号のうちの指定基準信号の基準信号受信電力のうちの少なくとも１つを含む。
【０１４９】
一実施例では、Ｄ個の基準信号グループのそれぞれからＹ個の基準信号が選択された場合であって、基準信号が選択された基準信号である場合、選択された基準信号の差分基準信号受信電力を算出するための基準電力は、Ｄ個の基準信号グループ内の指定基準信号の基準信号受信電力、Ｄ個の基準信号グループ外の指定基準信号の基準信号受信電力、第２通信ノードによって設定された、差分基準信号受信電力を算出するための基準値、及びＤ個の基準信号グループ内のＹ個の基準信号のうちの指定基準信号の基準信号受信電力のうちの少なくとも１つを含む。
【０１５０】
一実施例では、基準信号がＪ個の基準信号である場合、Ｊ個の基準信号の差分基準信号受信電力を算出するための基準電力は、Ｊ個の基準信号のうちの指定基準信号の基準信号受信電力、第２通信ノードによって設定された、差分基準信号受信電力を算出するための基準値、及びＪ個の基準信号外の指定基準信号の基準信号受信電力のうちの少なくとも１つを含む。
【０１５１】
一実施例では、指定基準信号が１つ又は複数の指定基準信号グループ内にある場合、指定基準信号は、１つ又は複数の指定基準信号グループ内の最大又は最小基準信号受信電力を有する基準信号、又は、指定基準信号はすべての基準信号のうち最大又は最小基準信号受信電力を有する基準信号である。
【０１５２】
一実施例では、差分基準信号受信電力のステップ量は、予め定義されたステップ量に基づいて決定されること、差分基準信号受信電力を算出するための基準電力に基づいて決定されること、及び差分基準信号受信電力を算出するための基準電力及び第２通信ノードによって設定された閾値に基づいて決定されること、のうちの少なくとも１つによって決定され、複数の識別子によって複数の差分基準信号受信電力をフィードバックする場合、差分基準信号受信電力のステップ量は、複数の識別子のうちの第１識別子で指示される第１差分基準信号受信電力と、複数の識別子のうち、第１識別子に隣接する第２識別子で指示される第２差分基準信号受信電力との差である。
【０１５３】
一実施例では、上記第１識別子は数字であってもよく、アルファベットであってもよいが、これらに限定されない。
【０１５４】
一実施例では、上記第１識別子が数字であることを例に説明すると、即ち、上記複数の差分基準信号受信電力が数字の形式によってフィードバックできるとすると、例えば、５個の差分基準信号受信電力は数字１、２、３、４、５でフィードバックされ、数字２で識別される差分基準信号受信電力は数字１で識別される差分基準信号受信電力と上記ステップ量とを加算した値であり、上記数字３で識別される差分基準信号受信電力は数字２で識別される差分基準信号受信電力と上記ステップ量とを加算した値であり、以下同様である。
【０１５５】
一実施例では、上記報告モジュール７６はさらに、異なるタイプの基準信号に対して、差分基準信号受信電力の形で異なるタイプの基準信号の基準信号受信電力を個別にフィードバックすること、異なるタイプの基準信号に対して、差分基準信号受信電力の形で異なるタイプの基準信号の基準信号受信電力を同時にフィードバックすること、差分基準信号受信電力の形で第１タイプの基準信号の基準信号受信電力をフィードバックし、第２タイプの基準信号の基準信号受信電力を直接フィードバックすること、第２通信ノードによって設定された異なる基準信号集合に対して、差分基準信号受信電力の形で異なる基準信号集合の基準信号受信電力を個別にフィードバックすること、及び第１通信ノードによってフィードバックされた異なる基準信号グループに対して、差分基準信号受信電力の形で異なる基準信号グループの基準信号受信電力を個別にフィードバックすること、のうちの少なくとも１つによって、差分基準信号受信電力をフィードバックする。
【０１５６】
一実施例では、基準信号の基準信号タイプが指定基準信号タイプである条件、及び基準信号の数が所定閾値以上である条件、のうちの少なくとも１つの条件下で、上記報告モジュール７６はさらに、差分基準信号受信電力の形で基準信号受信電力をフィードバックするように構成される。
【０１５７】
一実施例では、上記装置は、上記決定モジュール７４に接続され、第２通信ノードによって設定された、基準信号に関連する情報をフィードバックするための報告モードを取得するように構成された取得モジュールをさらに含んでもよく、報告モードは第１報告モード及び第２報告モードのうちの少なくとも１つを含み、第１報告モードと第２報告モードとの関係は、第１報告モードは第２報告モードよりも設定優先度が高いこと、第１報告モードで基準信号に関連する情報のフィードバックを限定するための閾値は、第２報告モードで基準信号に関連する情報のフィードバックを限定するための閾値未満であること、第１報告モードでは、第１通信ノードに対して第２通信ノードによって設定されたすべての基準信号に関連する情報を第２通信ノードにフィードバックすること、及び第２報告モードでは、第２通信ノードの基準信号に関連する情報の数は第１通信ノードに対して第２通信ノードによって設定された基準信号に関連する情報のフィードバック数以下であること、のうちの少なくとも１つを含む。
【０１５８】
一実施例では、報告モードが第１報告モードである場合、基準信号の基準信号受信電力の順序位置は基準信号の基準信号関連インデックスを指示するものである。
【０１５９】
一実施例では、第１報告モード及び第２報告モードでは、それぞれ差分基準信号受信電力の形で基準信号受信電力をフィードバックするか、又は、第１報告モードでは、基準信号受信電力を直接フィードバックし、第２報告モードでは、差分基準信号受信電力の形で基準信号受信電力をフィードバックするか、又は、第２報告モードでは、基準信号受信電力を直接フィードバックし、第１報告モードで、差分基準信号受信電力の形で基準信号受信電力をフィードバックする。
【０１６０】
一実施例では、第１報告モード及び第２報告モードでは、それぞれ差分基準信号受信電力の形で基準信号受信電力をフィードバックする場合、第１報告モードでの差分報告における差分基準信号受信電力のステップ量と第２報告モードでの差分報告における差分基準信号受信電力のステップ量とは異なるか、又は、第１報告モードでの差分報告における差分基準信号受信電力のステップ量と第２報告モードでの差分報告における差分基準信号受信電力のステップ量とはそれぞれ設定される。
【０１６１】
本発明の実施例は、第２通信ノードに適用される情報受信装置を提供する。図８は本発明の実施例に係る情報受信装置の構成ブロック図１であり、図８に示すように、当該装置は、
前記第１通信ノードに対して、第１タイプのシグナリング回数閾値、累計時間閾値、ＰＵＣＣＨ、ＰＲＡＣＨ、及びビームが回復されたＰＲＡＣＨのうちの少なくとも１つの情報を設定し、前記第１タイプのシグナリングの送信回数が前記第１タイプのシグナリング回数閾値を超える場合、前記第１タイプのシグナリングの送信を停止し、計時ユニットの計時開始点と前記第１タイプのシグナリングの送信時刻との間の時間が前記累計時間閾値を超える場合、前記第１タイプのシグナリングの送信を停止するように構成された設定モジュール８２と、
上記設定モジュール８２に接続され、第１通信ノードから送信された第１タイプのシグナリングを受信するように構成された受信モジュール８４と、を含み、前記第１タイプのシグナリングは、ビーム関連パラメータ集合のうちのＫ（Ｋは１以上の整数）個の要素が前記Ｋ個の要素に対応する第１タイプの閾値を超える場合に前記第１通信ノードによって生成されたシグナリングであり、前記第１タイプのシグナリングに、基準信号に関連する情報が担持されている。
【０１６２】
上記装置によれば、ビーム関連パラメータ集合のうちのＫ個の要素がＫ個の要素に対応する第１タイプの閾値を超える場合、第１通信ノードから送信された、基準信号に関連する情報が担持されている第１タイプのシグナリングを受信し、即ち、第１通信ノードが能動的に報告することによって基準信号に関連する情報の報告を実現することで、基準信号に関連する情報を報告する課題を解決することができる。
【０１６３】
一実施例では、上記装置は受信モジュール８４のみを含んでもよく、受信モジュール８４及び設定モジュール８２の両方を含んでもよいが、これに限定されない。
【０１６４】
一実施例では、上記受信モジュール８４はさらに、物理アップリンク制御チャネルＰＵＣＣＨ、及び物理ランダムアクセスチャネルＰＲＡＣＨのうちの少なくとも１つのチャネルによって、前記第１タイプのシグナリングを受信するように構成され、前記ＰＲＡＣＨは競合ベースのＰＲＡＣＨ又は競合フリーＰＲＡＣＨを含む。
【０１６５】
一実施例では、上記設定モジュール８２はさらに、前記第１通信ノードの能力に応じて前記第１通信ノードに対して前記情報を設定するように構成され、前記第１通信ノードの能力は、前記第１通信ノードがビーム関連付けをサポートする能力、前記第１通信ノードが非ビーム関連付けをサポートする能力、前記第１通信ノードが一部のビーム関連付けをサポートする能力、及び前記第１通信ノードのアンテナパラメータのうちの少なくとも１つを含む。
【０１６６】
一実施例では、基準信号に関連する情報は、基準信号インデックス、チャネル状態情報、及び基準信号受信電力のうちの少なくとも１つを含む。
【０１６７】
一実施例では、第１タイプのシグナリングに基準信号に関連する情報が直接担持されているか、又は、第１タイプのシグナリングに使用される時間周波数コードリソース位置は基準信号に関連する情報を指示するものである。
【０１６８】
一実施例では、Ｎ個のＰＲＡＣＨに関連付けられた基準信号がチャネル特性条件を満たす場合、Ｎ個のＰＲＡＣＨリソースが同一時間領域単位に割り当てられるか、又は、Ｎ個のＰＲＡＣＨが周波数分割多重化ＦＤＭをサポートする。時間領域単位は、スロット、サブフレーム、シンボル、シンボル集合のうちの少なくとも１つを含む。
【０１６９】
一実施例では、上記基準信号は、チャネル状態情報基準信号ＣＳＩ−ＲＳ、及び同期信号ブロックＳＳ  ｂｌｏｃｋのうちの少なくとも１つを含む。
【０１７０】
一実施例では、上記装置は、上記受信モジュール８４に接続される送信モジュールをさらに含んでもよく、送信モジュールは、第２タイプのシグナリングを第１通信ノードに送信し、第２タイプのシグナリングに所定のＰＲＡＣＨリソースが担持され、所定のＰＲＡＣＨリソースは設定済み又は予め定義されたＰＲＡＣＨリソース集合から選択されるＰＲＡＣＨリソースであり、所定のＰＲＡＣＨリソースは第１タイプのシグナリングによって占有されるＰＲＡＣＨリソースの時間領域及び／又は周波数領域位置を指示するのに用いられるモジュールであるか、又は、第３タイプのシグナリングを第１、２通信ノードに送信し、第３タイプのシグナリングに、第１タイプのシグナリングのＰＲＡＣＨリソースに関連付けられた所定のＣＳＩ−ＲＳリソース及び／又はＳＳ  ｂｌｏｃｋが担持され、所定のＣＳＩ−ＲＳリソース及び／又はＳＳ  ｂｌｏｃｋは設定済み又は予め定義されたＣＳＩ−ＲＳリソース集合及び／又はＳＳ  ｂｌｏｃｋ集合から選択されるものであり、所定のＣＳＩ−ＲＳリソース及び／又はＳＳ  ｂｌｏｃｋは第１タイプのシグナリングによって占有されるＰＲＡＣＨリソースに関連付けられたものであるモジュールである。
【０１７１】
一実施例では、第１タイプのシグナリングによって占有されるＰＲＡＣＨリソースは、第１タイプのシグナリングによって占有されるＰＲＡＣＨに関連付けられたＳＳ  ｂｌｏｃｋに対応する初期アクセスされるＰＲＡＣＨリソースであり、第１タイプのシグナリングによって占有されるＰＲＡＣＨリソースは、第１タイプのシグナリングによって占有されるＰＲＡＣＨに関連付けられたＣＳＩ−ＲＳの、同一チャネル特徴条件を満たすＳＳ  ｂｌｏｃｋに対応する初期アクセスされるＰＲＡＣＨリソースである。
【０１７２】
一実施例では、第２タイプのシグナリングは第１ビットマップを含み、第１ビットマップにおけるビットの値が第１指定値である場合、ＰＲＡＣＨリソース集合のうちのビットに対応するＰＲＡＣＨリソースが選択され、第３タイプのシグナリングは第２ビットマップを含み、第２ビットマップにおけるビットの値が第２指定値である場合、ＣＳＩ−ＲＳリソース集合及び／又はＳＳ  ｂｌｏｃｋ集合のうちのビットに対応するＣＳＩ−ＲＳリソース及び／又はＳＳ  ｂｌｏｃｋが選択される。
【０１７３】
一実施例では、上記設定モジュール８２はさらに、第１通信ノードに対して、同一時間領域単位に位置するＰＲＡＣＨ間の周波数領域間隔を指示するための周波数領域ステップ量を設定するように構成される。
【０１７４】
一実施例では、ＰＵＣＣＨによる第１タイプのシグナリングの送信とＰＲＡＣＨによる第１タイプのシグナリングの送信は同一の設定情報を使用し、設定情報は、第２通信ノードの応答ウィンドウの持続時間、第２通信ノードの応答ウィンドウと、第１タイプのシグナリングを第２通信ノードに送信する時間との間の時間オフセット、制御チャネルリソース集合ＣＯＲＥＳＥＴリソース、及び検索空間のうちの少なくとも１つを含む。
【０１７５】
本発明の実施例は、第２通信ノードに適用される情報送信装置をさらに提供する。図９は本発明の実施例に係る情報受信装置の構成ブロック図２であり、図９に示すように、当該装置は、
基準信号を第１通信ノードに送信するように構成された送信モジュール９２と、
上記送信モジュール９２に接続され、前記第１通信ノードからフィードバックされた、前記基準信号に関連する情報を受信するように構成された受信モジュール９４と、を含み、前記情報は、基準信号関連インデックスの情報、及び基準信号受信電力の情報のうちの少なくとも１つを含む。
【０１７６】
上記装置によれば、基準信号を第１通信ノードに送信した後、第１通信ノードから送信された、基準信号に関連する情報を受信し、即ち、第１通信ノードが第２通信ノードからの指示によって基準信号に関連する情報の報告を実現することで、基準信号に関連する情報を報告する課題を解決することができる。
【０１７７】
一実施例では、上記情報に含まれる基準信号関連インデックスの数は、第１通信ノードに対して第２通信ノードによって設定された基準信号関連インデックスのフィードバック数以下である。
【０１７８】
一実施例では、基準信号の基準信号受信電力と最大基準信号受信電力との差分が第１閾値以下である条件、基準信号の基準信号受信電力と基準信号の位置するグループ内の最大基準信号受信電力との差分が第２閾値以下である条件、基準信号の基準信号受信電力と指定基準信号における基準信号受信電力との差分が第３閾値以下である条件、基準信号の基準信号受信電力と差分基準信号受信電力を算出するための基準電力との差分が第４閾値以下である条件、及び基準信号の基準信号受信電力が第５閾値以上である条件、のうちの少なくとも１つを満たす場合、情報には基準信号関連インデックスが含まれる。
【０１７９】
一実施例では、第１閾値、第２閾値、第３閾値、及び第５閾値は、第２通信ノードによって設定される値、及び予め定義される値のうちの１つによって決定され、第４閾値は、第２通信ノードによって設定される値、差分基準信号受信電力の変化範囲によって決定される値、及び予め定義される値のうちの１つによって決定される。
【０１８０】
一実施例では、情報は第１情報及び第２情報を含み、第１情報は、基準信号関連インデックスの数、基準信号グループの数、基準信号グループのグループインデックス、各基準信号グループにおける最大基準信号の受信電力値、すべての基準信号の基準信号受信電力のうちの最大基準信号受信電力、差分基準信号受信電力を算出するための基準電力、差分基準信号受信電力を算出するための基準電力に関連付けられた基準信号関連インデックス、第２通信ノードによって指定された基準信号関連インデックス、及び第２通信ノードによって指定された基準信号の基準信号受信電力値のうちの少なくとも１つを含み、第２情報は、基準信号関連インデックス、及び基準信号受信電力のうちの少なくとも１つを含む。
【０１８１】
一実施例では、第２情報に含まれる基準信号受信電力は差分基準信号受信電力である。
【０１８２】
一実施例では、第２情報に含まれる基準信号関連インデックスはビットマップで指示される。
【０１８３】
一実施例では、上記受信モジュール９４は、ＰＵＣＣＨリソースによって第１情報及び第２情報をフィードバックすること、ＰＵＳＣＨリソースによって第１情報及び第２情報をフィードバックすること、及びＰＵＣＣＨリソースによって第１情報をフィードバックし、ＰＵＳＣＨによって第２情報をフィードバックすること、のうちの１つによって、第１通信ノードからフィードバックされた第１情報及び第２情報を受信する。
【０１８４】
一実施例では、上記方法は、ＰＵＣＣＨリソースによって第１情報をフィードバックし、ＰＵＳＣＨによって第２情報をフィードバックする場合、第２通信ノードが、差分基準信号受信電力の形で基準信号受信電力をフィードバックすることを第１通信ノードに指示するための第１情報を設定する能力を具備しないこと、第２通信ノードが第１情報を設定する能力を具備すること、第２通信ノードが第１通信ノードに対して第１情報を設定しないこと、及び第２通信ノードが第１通信ノードに対して第１情報を設定すること、のうちの１つをさらに含む。
【０１８５】
一実施例では、第１情報の変調符号化方式は、第２情報の変調符号化方式と異なる。
【０１８６】
一実施例では、上記受信モジュール９４はさらに、基準信号が基準信号グループ内のＸ個の基準信号である場合、差分基準信号受信電力の形でＸ個の基準信号に対応する基準信号受信電力を受信するステップ、Ｄ個の基準信号グループのそれぞれからＹ個の基準信号が選択された場合であって、基準信号が選択された基準信号である場合、差分基準信号受信電力の形で選択された基準信号に対応する基準信号受信電力を受信するステップ、及び基準信号がＪ個の基準信号である場合、差分基準信号受信電力の形でＪ個の基準信号に対応する基準信号受信電力を受信するステップ、のうちの少なくとも１つを実行するように構成され、Ｘ、Ｙ、Ｄ、Ｊは１以上の自然数である。
【０１８７】
一実施例では、基準信号が基準信号グループ内のＸ個の基準信号である場合、Ｘ個の基準信号の差分基準信号受信電力を算出するための基準電力は、基準信号グループ内の指定基準信号の基準信号受信電力、基準信号グループ外の指定基準信号の基準信号受信電力、第２通信ノードによって設定された、差分基準信号受信電力を算出するための基準値、及びＸ個の基準信号のうちの指定基準信号の基準信号受信電力のうちの少なくとも１つを含む。
【０１８８】
一実施例では、Ｄ個の基準信号グループのそれぞれからＹ個の基準信号が選択された場合であって、基準信号が選択された基準信号である場合、選択された基準信号の差分基準信号受信電力を算出するための基準電力は、Ｄ個の基準信号グループ内の指定基準信号の基準信号受信電力、Ｄ個の基準信号グループ外の指定基準信号の基準信号受信電力、第２通信ノードによって設定された、差分基準信号受信電力を算出するための基準値、及びＤ個の基準信号グループ内のＹ個の基準信号のうちの指定基準信号の基準信号受信電力のうちの少なくとも１つを含む。
【０１８９】
一実施例では、基準信号がＪ個の基準信号である場合、Ｊ個の基準信号の差分基準信号受信電力を算出するための基準電力は、Ｊ個の基準信号のうちの指定基準信号の基準信号受信電力、第２通信ノードによって設定された、差分基準信号受信電力を算出するための基準値、及びＪ個の基準信号外の指定基準信号の基準信号受信電力のうちの少なくとも１つを含む。
【０１９０】
一実施例では、指定基準信号が１つ又は複数の指定基準信号グループ内にある場合、指定基準信号は、１つ又は複数の指定基準信号グループ内の最大又は最小基準信号受信電力を有する基準信号、又は、指定基準信号はすべての基準信号のうち最大又は最小基準信号受信電力を有する基準信号である。
【０１９１】
一実施例では、差分基準信号受信電力のステップ量は、予め定義されたステップ量に基づいて決定されること、差分基準信号受信電力を算出するための基準電力に基づいて決定されること、及び差分基準信号受信電力を算出するための基準電力及び第２通信ノードによって設定された閾値に基づいて決定されること、のうちの少なくとも１つによって決定され、複数の識別子によって複数の差分基準信号受信電力を受信する場合、差分基準信号受信電力のステップ量は、複数の識別子のうちの第１識別子で指示される第１差分基準信号受信電力と、複数の識別子のうち、第１識別子に隣接する第２識別子で指示される第２差分基準信号受信電力との差である。
【０１９２】
一実施例では、上記第１識別子は数字であってもよく、アルファベットであってもよいが、これらに限定されない。
【０１９３】
一実施例では、上記第１識別子が数字であることを例に説明すると、即ち、上記複数の差分基準信号受信電力が数字の形式によってフィードバックできるとすると、例えば、５個の差分基準信号受信電力は数字１、２、３、４、５で受信され、数字２で識別される差分基準信号受信電力は数字１で識別される差分基準信号受信電力と上記ステップ量とを加算した値であり、上記数字３で識別される差分基準信号受信電力は数字２で識別される差分基準信号受信電力と上記ステップ量とを加算した値であり、以下同様である。
【０１９４】
一実施例では、上記受信モジュール９４はさらに、異なるタイプの基準信号に対して、差分基準信号受信電力の形で異なるタイプの基準信号の基準信号受信電力を個別に受信すること、異なるタイプの基準信号に対して、差分基準信号受信電力の形で異なるタイプの基準信号の基準信号受信電力を同時に受信すること、差分基準信号受信電力の形で第１タイプの基準信号の基準信号受信電力を受信し、第２タイプの基準信号の基準信号受信電力を直接受信すること、第２通信ノードによって設定された異なる基準信号集合に対して、差分基準信号受信電力の形で異なる基準信号集合の基準信号受信電力を個別に受信すること、及び第１通信ノードによって受信される異なる基準信号グループに対して、差分基準信号受信電力の形で異なる基準信号グループの基準信号受信電力を個別に受信すること、のうちの少なくとも１つによって、差分基準信号受信電力を受信するように構成されてもよい。
【０１９５】
一実施例では、基準信号の基準信号タイプが指定基準信号タイプである条件、及び基準信号の数が所定閾値以上である条件、のうちの少なくとも１つの条件下で、差分基準信号受信電力の形で基準信号受信電力を受信する。
【０１９６】
一実施例では、上記装置は、上記受信モジュール９４に接続され、前記第１通信ノードに対して、基準信号に関連する情報を受信するための報告モードを設定するように構成された設定モジュールをさらに備え、報告モードは第１報告モード及び第２報告モードのうちの少なくとも１つを含み、第１報告モードと第２報告モードとの関係は、第１報告モードは第２報告モードよりも設定優先度が高いこと、第１報告モードで基準信号に関連する情報の受信を限定する閾値は第２報告モードで基準信号に関連する情報の受信を限定するための閾値未満であること、第１報告モードでは、第１通信ノードに対して第２通信ノードによって設定されたすべての基準信号に関連する情報を第２通信ノードが受信すること、及び第２報告モードでは、第２通信ノードの基準信号に関連する情報の数は第１通信ノードに対して第２通信ノードによって設定された基準信号に関連する情報のフィードバック数以下であること、のうちの少なくとも１つを含む。
【０１９７】
一実施例では、報告モードが第１報告モードである場合、基準信号の基準信号受信電力の順序位置は基準信号の基準信号関連インデックスを指示するものである。
【０１９８】
一実施例では、第１報告モード及び第２報告モードでは、それぞれ差分基準信号受信電力の形で基準信号受信電力を受信するか、又は、第１報告モードでは、基準信号受信電力を直接受信し、第２報告モードでは、差分基準信号受信電力の形で基準信号受信電力を受信するか、又は、第２報告モードでは、基準信号受信電力を直接受信し、第１報告モードでは、差分基準信号受信電力の形で基準信号受信電力を受信する。
【０１９９】
一実施例では、第１報告モード及び第２報告モードでは、それぞれ差分基準信号受信電力の形で基準信号受信電力を受信する場合、第１報告モードでの差分報告における差分基準信号受信電力のステップ量と第２報告モードでの差分報告における差分基準信号受信電力のステップ量とは異なるか、又は、第１報告モードでの差分報告における差分基準信号受信電力のステップ量と第２報告モードでの差分報告における差分基準信号受信電力のステップ量とはそれぞれ設定される。
【０２００】
一実施例では、上記装置は第２通信ノード、例えば基地局に位置してもよいが、これに限定されない。
【０２０１】
一実施例では、上記各モジュールはソフトウェア又はハードウェアによって実現でき、後者の場合、上記モジュールはいずれも同一プロセッサに位置すること、又は、上記各モジュールは任意の組合せの形態でそれぞれ異なるプロセッサに位置することによって実現できるが、これらに限定されない。
【０２０２】
本発明の実施例は記憶媒体をさらに提供し、記憶されたプログラムを含み、上記プログラムが実行されると、本発明の実施例に係る情報送信、受信方法を実行する。
【０２０３】
一実施例では、上記記憶媒体は、ＵＳＢ、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、モバイルハードディスク、磁気ディスク又は光ディスクなどの、プログラムコードを記憶可能な媒体を含むが、これらに限定されない。
【０２０４】
本発明の実施例はプロセッサをさらに提供し、当該プロセッサはプログラムを実行し、当該プログラムが実行されると、本発明の実施例に係る情報送信、受信方法を実行する。
【０２０５】
一実施例における基準信号は、セル基準信号（ＣＲＳ、Ｃｅｌｌ−ｓｐｅｃｉｆｉｃ  ｒｅｆｅｒｅｎｃｅ  ｓｉｇｎａｌｓ）、チャネル状態情報基準信号（ＣＳＩ−ＲＳ、Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、ビーム管理のチャネル状態情報基準信号、チャネル状態情報干渉測定信号（ＣＳＩ−ＩＭ、Ｃｈａｎｎｅｌ  Ｓｔａｔｅ  Ｉｎｆｏｒｍａｔｉｏｎ  Ｉｎｔｅｒｆｅｒｅｎｃｅ  Ｍｅａｓｕｒｅｍｅｎｔ）、復調基準信号（ＤＭＲＳ、Ｄｅｍｏｄｕｌａｔｉｏｎ  Ｒｅｆｅｒｅｎｃｅ  Ｓｉｇｎａｌ）、ダウンリンク復調基準信号、アップリンク復調基準信号、チャネルサウンディング基準信号（ＳＲＳ、Ｓｏｕｎｄｉｎｇ  Ｒｅｆｅｒｅｎｃｅ  Ｓｉｇｎａｌ）、位相追跡基準信号（ＰＴ−ＲＳ、Ｐｈａｓｅ−Ｔｒａｃｋｉｎｇ  Ｒｅｆｅｒｅｎｃｅ  Ｓｉｇｎａｌｓ）、モバイル関連基準信号（ＭＲＳ、Ｍｏｂｉｌｅ  Ｒｅｆｅｒｅｎｃｅ  Ｓｉｇｎａｌ）、ビーム基準信号（ＢＲＳ、Ｂｅａｍ  Ｒｅｆｅｒｅｎｃｅ  Ｓｉｇｎａｌ）、ビームリファイニング基準信号（ＢＲＲＳ、Ｂｅａｍ  Ｒｅｆｉｎｉｎｇ  Ｒｅｆｅｒｅｎｃｅ  Ｓｉｇｎａｌ）、ランダムアクセスチャネル信号（ＲＡＣＨ、Ｒａｎｄｏｍ  Ａｃｃｅｓｓ  Ｃｈａｎｎｅｌ）、同期信号（ＳＳ、Ｓｙｎｃｈｒｏｎｉｚａｔｉｏｎ  Ｓｉｇｎａｌ）、同期信号ブロック（ＳＳ  ｂｌｏｃｋ）、プライマリ同期信号（ＰＳＳ、Ｐｒｉｍａｒｙ  Ｓｙｎｃｈｒｏｎｉｚａｔｉｏｎ  Ｓｉｇｎａｌ）、及びセカンダリ同期信号（ＳＳＳ、Ｓｅｃｏｎｄａｒｙ  Ｓｙｎｃｈｒｏｎｉｚａｔｉｏｎ  Ｓｉｇｎａｌ）のうちの少なくとも１つを含む。
【０２０６】
上記チャネル特徴は、例えば、水平送信方位角、垂直送信方位角、水平受信方位角、垂直受信方位角等のような物理伝搬チャネル特徴を含んでもよく、例えば、アンテナ要素パターン（ｅｌｅｍｅｎｔ  ｐａｔｔｅｒｎ）、アンテナ配置、及びベースバンドの時間オフセット、周波数オフセット及び位相ノイズ等のようなＲＦ及びベースバンド回路の特徴を含んでもよい。
【０２０７】
一実施例では、上記ビームはリソース（送信側プリコード、受信側プリコード、アンテナポート、基準信号リソース、アンテナ重みベクトル、及びアンテナ重み行列等のうちの１つ又はそれらの組合せを含む）であってもよく、ビームインデックス又はシンボルはリソースインデックスに置換でき、それはビームが伝送の点からみると特定の時間周波数コードリソースとバインディングできるからである。ビームは伝送（送信／受信）方式であってもよく、前記伝送方式は、空間分割多重、周波数領域／時間領域ダイバーシティ等を含んでもよい。
【０２０８】
上記受信ビームは、送信側が現在の基準信号、アンテナポートとＵＥから報告をフィードバックされた基準信号（又は参照信号）及び、アンテナポートの擬似コロケーション（ＱＣＬ、Ｑｕａｓｉ  Ｃｏ−Ｌｏｃａｔｅｄ）仮定によって指示されてもよい。
【０２０９】
上記受信ビームとは、指示を必要とない受信側ビームであり、又は送信側が現在の基準信号、アンテナポートとＵＥから報告をフィードバックされた基準信号（又は参照信号）、及びアンテナポートの擬似コロケーション（ＱＣＬ）によって指示される受信側のビームリソースである。
【０２１０】
上記擬似コロケーション（ＱＣＬ）に関するパラメータは、少なくとも、ドップラースプレッド、ドップラーシフト、遅延スプレッド、平均遅延、平均ゲイン、空間パラメータ及び空間受信パラメータを含む。
【０２１１】
一実施例では、差分基準信号受信電力を使用してフィードバックすることは、差分基準信号受信電力の形で基準信号受信電力をフィードバックすることに相当する。
【０２１２】
本実施例は、第１通信ノード（即ち、ＵＥユーザー側）に適用するチャネル関連情報のフィードバック方法を提供し、トリガー条件でユーザーがチャネル品質情報（上記実施例における基準信号に関連する情報に相当する）を能動的にフィードバックすることに着目する。当該方法は、ビーム関連パラメータ集合のうちのＫ（Ｋは１以上の整数）個の要素が第１タイプの閾値をトリガーすると、第１タイプのシグナリングを生成するステップと、前記第１通信ノードに前記第１タイプのシグナリングを送信するステップと、を含む。当該プロセスは、ビーム回復、又は、ユーザーからの能動的なビーム報告とも呼ばれる。
【０２１３】
前記ビーム関連パラメータ集合は、チャネル品質を判定するためのものであり、ビーム関連パラメータ集合は、Ｎ個の第１タイプのビームリンクの品質、Ｎ個の第１タイプのビームリンクの品質とＫ個の第２タイプのビームリンク品質の和との差分又は比、Ｎ個の第１タイプのビームリンクとＫ個の第２タイプのビームリンクの時間周波数チャネル応答の相関性、又は周波数領域チャネル応答の相関性、空間領域相関性、Ｎ個の第１タイプのビームリンクの方位角とＫ個の第２タイプのビームリンクの方位角との差分又は比、Ｋ個の第２タイプのビームリンク品質、すべての第２タイプのビームリンク品質、アップリンク制御チャネル又はデータチャネルによる前回の受信成功からの時間累計、受信失敗の累計回数、ビームグループの調整情報、前記ビーム関連パラメータ集合に含まれる各パラメータの重み付け値又は重み付け相関値のうちの少なくとも１つを含む。一実施例では、前記チャネル品質の判定は、ビーム関連パラメータ集合のうちの要素がＣ回連続して判定閾値をトリガーすることを求めるものであってもよい。ここで、Ｃは、基地局の配置数、又は予め定義された数である。Ｃは１以上の整数である。
【０２１４】
前記第２タイプのビームリンクとは、Ｓ個の設定済みビームリンク集合からのもの、又はＳ個の設定済みビームリンク集合のうち、アクティブ化されたＳ１個のセットからのものである。一実施例では、第１タイプのビームリンクとは、サービングビーム（ｓｅｒｖｉｎｇ  ｂｅａｍ）である。
【０２１５】
前記第１タイプのビームリンクとは、Ｓ個の設定済みビームリンク集合からのものではなく、又はＳ個の設定済みビームリンク集合のうち、アクティブ化されたＳ１個のセットからのものではなく、又は設定済みの候補ビームである。一実施例では、第２タイプのビームリンクとは、候補ビーム（ｃａｎｄｉｄａｔｅ  ｂｅａｍ）である。
【０２１６】
前記設定済みビームリンクとは、第１通信ノードが第２通信ノードに報告するビームリンク、又は、第２通信ノードが第１通信ノードに指示するビームリンクである。
ここで、Ｎ、Ｓ、Ｓ１は１以上の整数であり、Ｓ１はＳ以下である。
【０２１７】
一実施例では、前記ビームリンクは、送信ビーム、受信ビーム、送受信ビームペア、ビームグループ、受信ビームグループ、送信ビームグループ、受信モード、アンテナ組合せ、制御チャネル、ダウンリンク基準信号、及びアップリンク基準信号のうちの１つに対応する。
【０２１８】
前記ビームリンク品質は、ＢＬＥＲ、受信信号電力、ＲＳＲＰ、ＲＳＲＱ、チャネル容量、受信側信号対干渉及び雑音比、及び受信側信号対雑音比のうちの少なくとも１つ又は組合せを含む。
【０２１９】
また、第１タイプのシグナリングは、ビーム回復要求シグナリングと呼ばれてもよく、基準信号インデックス、候補ビーム番号、又は関連付けられたチャネル状態情報（例えば、ＲＳＲＰ）を含む。第１タイプのシグナリングは、物理アップリンク制御チャネル（ＰＵＣＣＨ）、及び物理ランダムアクセスチャネル（ＰＲＡＣＨ）のうちの１つ又は組合せによって伝送されてもよお。ここで、物理ランダムアクセスチャネルは、競合ベースの物理ランダムアクセスチャネル又は競合フリーの専用物理ランダムアクセスチャネルである。
【０２２０】
図１０は本発明の実施例に係るトリガー条件に基づくチャネル品質フィードバックの概略フローチャートである。基地局は、ビーム障害を検出するための周期的なＣＳＩ−ＲＳを設定する。前記ＣＳＩ−ＲＳに関連付けられたＢＬＥＲ性能が判定閾値よりも大きいか、又は、判定閾値以上であると、ＵＥ側はビーム障害イベントが成立すると判定する（ｂｅａｍ  ｆａｉｌｕｒｅ  ｄｅｔｅｃｔｉｏｎ）。また、基地局は同期ブロック（ＳＳ  ｂｌｏｃｋ、ＳＳＢ）及び周期的なＣＳＩ−ＲＳリソースを設定し、第１タイプのビームリンク品質を構成する。前記第１タイプのビームリンク品質における１つのＣＳＩ−ＲＳリソースに関連付けられたチャネル品質（例えば、ＢＬＥＲ又はＲＳＲＰ）が閾値をトリガーすると、ＵＥ側は新たな候補ビーム（ｎｅｗ  ｃａｎｄｉｄａｔｅ  ｂｅａｍ）が探索されたことを発表する。
【０２２１】
すべての第２タイプのビームリンク品質（ＣＳＩ−ＲＳ）が閾値をトリガーし、且つ１つの第１タイプのビームリンク品質（例えば、ＣＳＩ−ＲＳ又はＳＳ  ｂｌｏｃｋ）が閾値をトリガーすると、ユーザーは第１タイプのシグナリング送信プロセスを開始でき、即ち、対応するアップリンクリソース上で、第１タイプのシグナリング、例えば、ビーム回復要求シグナリングを送信できる。
【０２２２】
一実施例では、第１タイプのシグナリング送信の制約条件に着目し、トリガー条件を満たすか、又は、ビーム障害（ｂｅａｍ  ｆａｉｌｕｒｅ）が発生する場合、ユーザーは候補ビーム集合（即ち、設定済みの候補ビーム、第１タイプのビームリンク）から新たな使用可能なビームを選択する。しかしながら、ユーザー側の挙動を制限する必要がある。これにより、ＵＥが有効な時間制約及び回数制約の下で、ビーム回復プロセスを迅速に実行することを確保でき、さらにビーム回復性能を確保し、ビーム回復時間が長すぎてＵＥが有効ビームを待つのに時間がかかることを防止する。
【０２２３】
第１タイプのシグナリングは、第１タイプのシグナリング回数閾値、及び累計時間閾値のうちの１つ又は組合せを含む。
【０２２４】
一実施例では、上記設定制約条件は、設定情報が第１タイプのシグナリング回数閾値である場合、第１タイプのシグナリング回数が前記第１タイプのシグナリング回数閾値を超えると、第２通信ノードが第１タイプのシグナリングの送信を停止すること、又は、設定情報が累計時間閾値である場合、関連付けられた計時ユニットが前記累計時間閾値を超えると、第２通信ノードが第１タイプのシグナリングの送信を停止すること、又は、設定情報が累計時間閾値及び第１タイプのシグナリング回数閾値である場合、関連付けられた計時ユニットが前記累計時間閾値を超える場合、及び／又は、第１タイプのシグナリング回数が前記第１タイプのシグナリング回数閾値を超えると、第２通信ノードが第１タイプのシグナリングの送信を停止することである。
【０２２５】
また、第１タイプのシグナリングを有効に送信できないことを考慮する場合（即ち、ビーム回復が失敗した後）、第２通信ノードが第１通信ノードに第１タイプのシグナリングを送信する回数、又は累計時間、又はそれらの組合せが閾値を超えた後、第２通信ノードが第Ａタイプの情報を上位層に通知するステップ、及び、第２通信ノードが第１通信ノードに第１タイプのシグナリングを送信する回数、又は累計時間、又はそれらの組合せが閾値を超えてからのＹ（Ｙは０以上の整数）個の時間単位以内に、第２通信ノードが第Ａタイプの情報を上位層に通知するステップ、のうちの少なくとも１つをさらに含む。前記第Ａタイプの情報は、ビーム回復失敗、及び／又は、無線リンク障害のトリガー条件を示す。
【０２２６】
なお、累計時間の計算開始点制約を説明する。第１タイプのシグナリング送信の制約について、累計時間の開始点は、１）関連付けられたリンク又はビーム障害が検出された時刻、又は関連付けられたリンク又はビーム障害が検出された時刻に関連付けられたタイムウィンドウのマーク時刻、２）ビーム障害検出結果が閾値をトリガーする時刻、又はビーム障害検出結果が閾値をトリガーする時刻に関連付けられたタイムウィンドウのマーク時刻、３）第１タイプのシグナリングを初めて送信する時刻、又は第１タイプのシグナリングを初めて送信する時刻に関連付けられたタイムウィンドウのマーク時刻、４）第２通信ノードが第１タイプのシグナリングを搬送するためのアップリンクリソースを設定する時刻、又は第２通信ノードが第１タイプのシグナリングを搬送するためのアップリンクリソースを設定する時刻に関連付けられたタイムウィンドウのマーク時刻、５）第１タイプのシグナリングによって搬送された基準信号インデックスの送信時刻、又は第１タイプのシグナリングによって搬送された基準信号インデックスの送信時刻に関連付けられたタイムウィンドウのマーク時刻、６）ＰＵＣＣＨによって第１タイプのシグナリングを初めて送信する時刻、又はＰＵＣＣＨによって第１タイプのシグナリングを初めて送信する時刻に関連付けられたタイムウィンドウのマーク時刻、７）ＰＲＡＣＨによって第１タイプのシグナリングを初めて送信する時刻、又はＰＲＡＣＨによって第１タイプのシグナリングを初めて送信する時刻に関連付けられたタイムウィンドウのマーク時刻のうちの１つであってもよい。ここで、前記タイムウィンドウのマーク時刻とは、前記タイムウィンドウの開始時刻、又は中間時刻、又は終了時刻である。
【０２２７】
一実施例では、第１タイプのシグナリングの送信回数は、１）ＰＵＣＣＨリソースによって第１タイプのシグナリングを送信する回数、２）ＰＲＡＣＨリソースによって第１タイプのシグナリングを送信する回数、及び３）ＰＲＡＣＨによって第１タイプのシグナリングを送信する回数とＰＵＣＣＨリソースによって第１タイプのシグナリングを送信する回数との和のうちの少なくとも１つを含む。
【０２２８】
一実施例では、第１タイプのシグナリングに関連付けられたＰＲＡＣＨリソースの設定方法に着目し、第１タイプのシグナリングはＰＲＡＣＨを使用するが、初期アクセス段階ではＰＲＡＣＨリソースが予め設定されているため、ＵＥは第１タイプのシグナリングを送信するためのＰＲＡＣＨリソースの設定を制限すべきである。また、初期アクセス段階では、ＰＲＡＣＨがＳＳ  ｂｌｏｃｋのみに関連付けられるが、第１タイプのシグナリングは、ＣＳＩ−ＲＳ、ＳＳ  ｂｌｏｃｋ又はＣＳＩ−ＲＳ及びＳＳ  ｂｌｏｃｋに関連付け可能である。従って、基地局はＣＳＩ−ＲＳ及びＳＳ  ｂｌｏｃｋを設定する際に、ＵＥが係る測定及び第１タイプのシグナリングの報告をサポートするように、所定のＵＥ側の仮定を満たす必要がある。
【０２２９】
ＰＲＡＣＨリソース割り当て制限について、Ｎ個の前記ＰＲＡＣＨに関連付けられたダウンリンク基準信号がチャネル特性仮定を満たす場合、Ｎ個のＰＲＡＣＨリソースが同一時間領域単位に割り当てられるか、又は、周波数分割多重化ＦＤＭをサポートすること、及び、第１通信ノードは、関連付けられたダウンリンク基準信号がチャネル特性仮定を満たすＰＲＡＣＨが異なる時間領域単位に割り当てられることを望まないこと、のうちの少なくとも１つをサポートする。ここで、前記時間領域単位は、スロット、サブフレーム、シンボル又はシンボル集合を含む。一実施例では、ダウンリンク基準信号は、ＣＳＩ−ＲＳ、及びＳＳ  ｂｌｏｃｋのうちの１つ又は組合せを含む。
【０２３０】
ＰＲＡＣＨリソースは、以下の特徴のうちの少なくとも１つを含む。第１タイプのシグナリングのＰＲＡＣＨに関連付けられたＳＳ  ｂｌｏｃｋに対応する初期アクセスされるＰＲＡＣＨの時間領域位置は、第１タイプのシグナリングのＰＲＡＣＨリソースの時間領域位置を決定し、前記初期アクセスされるＰＲＡＣＨの時間領域位置は、第１通信ノードが第２通信ノードへ送信する初期アクセスされるＰＲＡＣＨの設定シグナリングによって実現される。時間領域位置は、時間領域オフセット情報である。
【０２３１】
第１タイプのシグナリングのＰＲＡＣＨに関連付けられたＳＳ  ｂｌｏｃｋに対応する初期アクセスされるＰＲＡＣＨリソースは、第１タイプのシグナリングのＰＲＡＣＨリソースを決定し、第１タイプのシグナリングのＰＲＡＣＨに関連付けられたＣＳＩ−ＲＳの、同一チャネル特徴仮定を満たすＳＳ  ｂｌｏｃｋに対応する初期アクセスされるＰＲＡＣＨの時間領域位置は、第１タイプのシグナリングのＰＲＡＣＨリソースの時間領域位置を決定し、第１タイプのシグナリングのＰＲＡＣＨに関連付けられたＣＳＩ−ＲＳの、同一チャネル特徴仮定を満たすＳＳ  ｂｌｏｃｋに対応する初期アクセスされるＰＲＡＣＨリソースは、第１タイプのシグナリングのＰＲＡＣＨリソースを決定する。
【０２３２】
第１通信ノードは、第１タイプのシグナリングのＰＲＡＣＨに関連付けられたＳＳ  ｂｌｏｃｋに対応する初期アクセスされるＰＲＡＣＨの時間領域オフセットが、第１タイプのシグナリングのＰＲＡＣＨリソースの時間領域オフセットと異なることを望まないか、又は、第１通信ノードは、第１タイプのシグナリングのＰＲＡＣＨに関連付けられたＳＳ  ｂｌｏｃｋに対応する初期アクセスされるＰＲＡＣＨの時間周波数オフセットが、第１タイプのシグナリングのＰＲＡＣＨリソースの時間周波数オフセットと異なることを望まない。
【０２３３】
時間周波数オフセットの基準は、各ＳＳ  ｂｌｏｃｋ  ｂｕｒｓｔの１番目のＳＳ  ｂｌｏｃｋが位置するＯＦＤＭシンボル（又はこのＯＦＤＭシンボルの１番目のリソースエレメント（ｒｅｓｏｕｒｃｅ  ｅｌｅｍｅｎｔ、ＲＥ））、又は１番目のＳＳ  ｂｌｏｃｋが位置する帯域幅部分（ｂａｎｄｗｉｄｔｈ  ｐａｒｔ、ＢＷＰ）の１番目のリソースエレメント（ｒｅｓｏｕｒｃｅ  ｅｌｅｍｅｎｔ、ＲＥ）であってもよい。
【０２３４】
第１通信ノードは、第１タイプのシグナリングのＰＲＡＣＨに関連付けられたＣＳＩ−ＲＳの、同一チャネル特徴仮定を満たすＳＳ  ｂｌｏｃｋに対応する初期アクセスされるＰＲＡＣＨの時間領域オフセットが、第１タイプのシグナリングのＰＲＡＣＨリソースの時間領域位置と異なることを望まないか、又は、第１通信ノードは、第１タイプのシグナリングのＰＲＡＣＨに関連付けられたＣＳＩ−ＲＳの、同一チャネル特徴仮定を満たすＳＳ  ｂｌｏｃｋに対応する初期アクセスされるＰＲＡＣＨの時間周波数オフセットが、第１タイプのシグナリングのＰＲＡＣＨリソースの時間周波数位置と異なることを望まない。
【０２３５】
一実施例では、予め設定された集合から一部の集合を選択し、ＰＲＡＣＨ−ｂｅａｍ  ｒｅｃｏｖｅｒｙに使用する。その特徴は、第２通信ノードが第２タイプのシグナリングを第１通信ノードに送信し、設定済み又は予め定義されたＰＲＡＣＨリソースのうちＶ個のＰＲＡＣＨリソースを指示し、第１タイプのシグナリングに関連付けられたＰＲＡＣＨリソースの時間領域及び／又は周波数領域位置を指示するのに用いられること、及び第２通信ノードが第３タイプのシグナリングを第１通信ノードに送信し、設定済み又は予め定義されたＣＳＩ−ＲＳリソース及び／又はＳＳ  ｂｌｏｃｋのうち、Ｔ個のＣＳＩ−ＲＳリソース及び／又はＳＳ  ｂｌｏｃｋを指示し、第１タイプのシグナリングのＰＲＡＣＨリソースに関連付けること、のうちの少なくとも１つ又は組合せを含み、第１タイプのシグナリングに関連付けられたＰＲＡＣＨは、第１タイプのシグナリングのＰＲＡＣＨに関連付けられたＳＳ  ｂｌｏｃｋに対応する初期アクセスされるＰＲＡＣＨリソースを使用するか、又は、第１通信ノードのデフォルト設定は、第１タイプのシグナリングに関連付けられたＰＲＡＣＨは第１タイプのシグナリングのＰＲＡＣＨに関連付けられたＳＳ  ｂｌｏｃｋに対応する初期アクセスされるＰＲＡＣＨリソースを使用し、第１タイプのシグナリングに関連付けられたＰＲＡＣＨは第１タイプのシグナリングのＰＲＡＣＨに関連付けられたＣＳＩ−ＲＳの、同一チャネル特徴仮定を満たすＳＳ  ｂｌｏｃｋに対応する初期アクセスされるＰＲＡＣＨリソースを使用するか、又は、第１通信ノードのデフォルト設定は、第１タイプのシグナリングに関連付けられたＰＲＡＣＨは第１タイプのシグナリングのＰＲＡＣＨに関連付けられたＣＳＩ−ＲＳの、同一チャネル特徴仮定を満たすＳＳ  ｂｌｏｃｋに対応する初期アクセスされるＰＲＡＣＨリソースを使用する。ここで、Ｖ及びＴは、１以上の整数である。一実施例では、既存の集合から特定の集合を選択するには、ビットマップの方法を使用できる。ビットマップにおけるビット指が特定値（例えば、１）である場合、前記ビットに関連付けられたＰＲＡＣＨリソースを指示することを示す。
【０２３６】
例えば、基地局は１６個の周期的なＣＳＩ−ＲＳリソースを設定しており、そのうち、４つの周期的なＣＳＩ−ＲＳリソースは現在の伝送ビーム（即ち、第２タイプのビームリンク、ｓｅｒｖｉｎｇ  ｂｅａｍ）にサービングし、残りの１２個の周期的なＣＳＩ−ＲＳリソースは新らたなビーム（即ち、第１タイプのビームリンク、ｎｅｗ  ｃａｎｄｉｄａｔｅ  ｂｅａｍ  ｉｄｅｎｔｉｆｉｃａｔｉｏｎ）を探索することに用いられる。ビットマップを使用して、設定された１６個の周期的なＣＳＩ−ＲＳリソースのうちの４つのリソースを選択し、即ち、ビットマップ１６’ｂ１１１１＿００００＿００００＿００００で第２タイプのビームリンクを示し、また、１６個の周期的なＣＳＩ−ＲＳリソースのうちの１２個のリソース、即ち、ビットマップ１６’ｂ００００＿１１１１＿１１１１＿１１１１で、設定された残りの１２個のリソースを選択する。
【０２３７】
ＣＳＩ−ＲＳとＳＳ  ｂ１ｏｃｋが一対一対応関係を有すると、ビットマップ１６’ｂ００００＿１１１１＿１１１１＿１１１１に対応するＳＳ  ｂ１ｏｃｋに関連付けられたＰＲＡＣＨリソースは、第１タイプのシグナリングの専用報告リソースとして設定される。
【０２３８】
４つのＣＳＩ−ＲＳが１つのＳＳ  ｂ１ｏｃｋに関連付けられる場合、ＳＳ  ｂ１ｏｃｋに関連付けられたＰＲＡＣＨ時間周波数リソースはこれらの４つのＣＳＩ−ＲＳに関連付けられるが、各ＣＳＩ−ＲＳは設定されるか、又は、予め定義されたルールに従って４つの異なるシーケンスで区分される。
【０２３９】
また、複数のＱＣＬのＣＳＩ−ＲＳ及びＳＳ  ｂｌｏｃｋの設定をサポートする場合、ＳＳ  ｂｌｏｃｋに関連付けられたＰＲＡＣＨを基準とし、その後、特定の周波数領域ステップ量で、ＱＣＬ関係を満たすＣＳＩ−ＲＳ及びＳＳ  ｂｌｏｃｋの設定を実現する。具体的には、第２通信ノードは第１通信ノードに対して周波数領域ステップ量を設定し、同一時間領域単位に位置するＰＲＡＣＨ間の周波数領域間隔を指示するものである。複数のＱＣＬのＣＳＩ−ＲＳは同一のシーケンスを使用するが、異なる周波数領域リソースによって、基地局側によるＣＳＩ−ＲＳリソースの区分をサポートする。
【０２４０】
図１１は本発明の実施例に係る基準信号とＰＲＡＣＨリソースとの関連付け方法の概略図である。システムは４つのＣＳＩ−ＲＳリソースを第２タイプのビームリンク（即ち、ｎｅｗ  ｃａｎｄｉｄａｔｅ  ｂｅａｍ  ｉｄｅｎｔｉｆｉｃａｔｉｏｎ）として設定し、これら４つのＣＳＩ−ＲＳリソースがともに１つのＳＳ  ｂｌｏｃｋとチャネル特徴仮定（例えば、ｓｐａｔｉａｌ  ＱＣＬ）を満たすことを仮定する。初期アクセス時のＳＳ  ｂｌｏｃｋ及びＰＲＡＣＨの設定方法によれば、ＣＳＩ−ＲＳリソースは、同一時間領域リソースにあるが、異なる周波数領域リソースにあるＰＲＡＣＨに一対一マッピングする。１番目のＣＳＩ−ＲＳはＳＳ  ｂｌｏｃｋに関連付けられたＰＲＡＣＨに直接関連付けられ、残りのＣＳＩ−ＲＳは順に他の周波数領域位置のＰＲＡＣＨに関連付けられる。一実施例では、ＳＳ  ｂｌｏｃｋにおいて、１つのＣＳＩ−ＲＳのみが設定されると、関連付け関係を満たすＰＲＡＣＨ、即ち、図中のＰＲＡＣＨ−０に、デフォルトで関連付けられる。
【０２４１】
また、ＰＵＣＣＨ及びＰＲＡＣＨはともに第１タイプのシグナリングを搬送に用いられることができ、いくつかの同一設定を共通すること、又は、同一の設定又はモードを使用することができ、第２通信ノードの応答ウィンドウの持続時間、第２通信ノードの応答ウィンドウと第１タイプのシグナリングとの間の時間オフセット、ＣＯＲＥＳＥＴリソース、及び検索空間のうちの少なくとも１つ又は組合せを含む。
【０２４２】
一実施例では、第１通信ノード（ＵＥ）はルールに従って、基地局によって設定されたフィードバック限度よりも小さい挙動をフィードバックする。
【０２４３】
第２通信ノード（即ち、基地局側）から送信された基準信号を受信することによって、第１通信ノード（即ち、ＵＥ側）は基準信号関連インデックス、基準信号受信電力、又は、基準信号関連インデックス及び基準信号受信電力を決定する。一実施例では、前記基準信号関連インデックス、又は基準信号受信電力、又は基準信号関連インデックス及び基準信号受信電力を、第２通信ノードに報告する。なお、ここでの基準信号関連インデックスは、送信ビーム情報を指示するものであるため、当該報告はビーム報告（ｂｅａｍ  ｒｅｐｏｒｔｉｎｇ）と呼ばれてもよい。基準信号リソースの指示、例えば、ＣＳＩ−ＲＳ  ｒｅｓｏｕｒｃｅ又はＳＳ  ｂｌｏｃｋによって、送信ビーム又は送信側空間フィルタの指示報告を実現する（例えば、有効ビームインデックスを指示する）。
【０２４４】
なお、基準信号受信電力とは、ＲＳＲＰ（Ｒｅｆｅｒｅｎｃｅ  Ｓｉｇｎａｌ  Ｒｅｃｅｉｖｅｄ  Ｐｏｗｅｒ）であり、説明の便宜上、以下、本明細書では、基準信号受信電力の説明の代わりに、ＲＳＲＰを使用する。
【０２４５】
ビーム報告の際、基地局は基準信号関連インデックスのフィードバック数をＮとし、ＵＥ側は前記報告された基準信号関連インデックスの数Ｍ（ＭはＮ以下であり、Ｍ及びＮは０以上の整数である）をフィードバックする。一実施例では、基準信号関連インデックスのフィードバックルールは、１）〜４）のうちの少なくとも１つ又は組合せを含む。１）前記基準信号に関連付けられた基準信号受信電力と最大基準信号受信電力との差分が閾値Ｔ−１以下であり、一実施例では、Ｔ−１は第２通信ノードによって設定されるか、又は、差分の基準信号受信電力変化範囲によって決定されるか、又は、標準に従って予め定義される。２）前記基準信号に関連付けられた基準信号受信電力と、前記基準信号の位置するグループ内の最大基準信号受信電力との差分又は特定基準信号における基準信号受信電力との差分が閾値Ｔ−２以下であり、一実施例では、Ｔ−２は第２通信ノードによって設定されるか、又は、差分の基準信号受信電力変化範囲によって決定されるか、又は、標準に従って予め定義される。３）前記基準信号に関連付けられた基準信号受信電力と、差分基準信号受信電力の基準電力との差分が閾値Ｔ−３以下であり、一実施例では、Ｔ−３は第２通信ノードによって設定されるか、又は、差分の基準信号受信電力変化範囲によって決定されるか、又は、標準に従って予め定義される。４）前記基準信号に関連付けられた基準信号受信電力が閾値Ｔ−４以上であり、一実施例では、Ｔ−４は第２通信ノードによって設定されるか、又は、差分の基準信号受信電力変化範囲によって決定されるか、又は、標準に従って予め定義される。
【０２４６】
例えば、基地局側はビームトレーニング用の８個のＣＳＩ−ＲＳ  ｒｅｓｏｕｒｃｅを設定し、その後、ＵＥ側がｂｅａｍ  ｒｅｐｏｒｔｉｎｇをフィードバックするための関連リソースを設定し、そのうちの４つのビームリソースのフィードバックが許可される。８個のＣＳＩ  ｒｅｓｏｕｒｃｅに対してチャネル測定を行った後、ＵＥ側は対応するＲＳＲＰ結果を取得し、表１に示される通りである。ここで、ＣＲＩは、ＣＳＩ−ＲＳ  ｒｅｓｏｕｒｃｅ  ｉｎｄｉｃａｔｉｏｎである。
【０２４７】
【表１】
2021503824.tif 000003
【０２４８】
４つのビームリソースのフィードバックに対する制限によると、｛ＣＲＩ−Ｏ，ＣＲＩ−１，ＣＲＩ−３，ＣＲＩ−７｝及びその対応するＲＳＲＰ測定結果を基地局側にフィードバックできる。例えば、
【０２４９】
場合１では、基地局側は１つのフィードバックの最小閾値、即ち−８５ｄＢを設定すると、ＣＲＩ−７は当該閾値制限を満たさず、ユーザー側は、｛［ＣＲＩ−０，−７９ｄＢｍ］，［ＣＲＩ−１，−６０ｄＢｍ］，［ＣＲＩ−３，−７４ｄＢｍ］｝のみをフィードバックする。
【０２５０】
場合２では、ＵＥ側は４−ｂｉｔで差分報告し、各ｂｉｔのステップは−ｌｄＢであり、且つ最大受信信号電力は絶対値報告であり、他の報告はその相対値に基づくものである。具体的には、差分表は以下の表２に示される通りである。
【０２５１】
【表２】
2021503824.tif 000004
【０２５２】
判定ルールの「前記基準信号に関連付けられた基準信号受信電力と最大基準信号受信電力との差分」を実行し、差分表に基づく判定閾値の変化範囲が１５個のｄＢである場合、ＵＥ側では、最大ＲＳＲＰ値が−６０ｄＢｍであるため、−７５ｄＢｍ及びそれ以上のビームのみをフィードバックする。従って、｛［ＣＲＩ−１，−６０ｄＢｍ］，［ＣＲＩ−３，−１４ｄＢｍ（ｉ．ｅ．，４’ｂ１１１０）］｝を報告し、その他のビームは、いずれも上記ルールを満たさない。
【０２５３】
場合３では、ＵＥ側は４−ｂｉｔで差分報告し、各ｂｉｔのステップ量が−１ｄＢである。そして、最大受信信号電力は絶対値であり、その他の報告は、受信電力が最大受信信号電力に最も近く且つ報告可能となったＲＳＲＰに基づく差分報告である。ＵＥ側では、最大ＲＳＲＰ値が−６０ｄＢｍであるため、まず、［ＣＲＩ−３，−１４ｄＢｍ（ｉ．ｅ．，４’ｂ１１１０）］に対して差分フィードバックを行い、その後、−７４ｄＢｍに基づいて［ＣＲＩ−０，−５ｄＢｍ（ｉ．ｅ．，４’ｂ０１０１）］を差分報告し、さらに、−７９ｄＢｍに基づいて［ＣＲＩ−７，−７ｄＢｍ（ｉ．ｅ．，４’ｂ０１１１）］を差分報告する。この場合、ＵＥ側は、情報｛｛［ＣＲＩ−１，−６０ｄＢｍ］，［ＣＲＩ−３、−１４ｄＢｍ（ｉ．ｅ．，４’１１１０）］，［ＣＲＩ−０，−５ｄＢｍ（ｉ．ｅ．，４’ｂ０１０１）］，［ＣＲＩ−７，−７ｄＢｍ（ｉ．ｅ．，４’ｂ０１１１）］｝を報告する。
【０２５４】
なお、実際の差分報告において基準ＲＳＲＰの測定値が報告値と一致しないと、報告値における基準ＲＳＲＰを基準として差分報告を行うべきである。
【０２５５】
一実施例では、第１通信ノード（ＵＥ）がビーム報告をフィードバックすることは２つの異なる部分に分けられ、区分的なフィードバックを行う。
【０２５６】
ビーム報告について、異なる内容によって、報告の緊急性及び優先度は異なる。従って、報告の内容を２つのレベル又は複数のレベルに分けることが望まれる。ここで、レベルごとに対応する情報内容及び変調符号化モードが存在することで、ビーム報告の柔軟性のニーズを満たす。
【０２５７】
前記ビーム報告内容は、第１情報及び第２情報からなる。ここで、第１情報は、基準信号関連インデックスの数、基準信号グループの数、基準信号グループのグループインデックス、グループにおける最大基準信号の受信電力値、最大基準信号受信電力値、差分報告における絶対基準信号受信電力値、差分報告における絶対基準信号受信電力値に関連付けられた基準信号関連インデックス、第２通信ノードによって指定された基準信号関連インデックス、第２通信ノードによって指定された基準信号における基準信号受信電力値のうちの少なくとも１つ又は組合せからなる。
【０２５８】
また、第２情報は、基準信号関連インデックス及び／又は基準信号受信電力からなる。一実施例では、ビームグループ（ｂｅａｍ  ｇｒｏｕｐ）とも呼ばれる基準信号グループのルールは、基準信号グループ内で異なる基準信号を同時に受信できないこと、基準信号グループ内部で異なる基準信号を同時に受信できること、基準信号グループ内部で、Ｗ１個の異なる基準信号を同時に受信できること、基準信号グループの間で、異なる基準信号を同時に受信できないこと、基準信号グループの間で、異なる基準信号を同時に受信できること、及び基準信号グループの間で、Ｗ２個の異なる基準信号を同時に受信できること、のうちの少なくとも１つ又は組合せを含み、Ｗ１及びＷ２は１以上の自然数である。一実施例では、Ｗ１及びＷ２は、ＵＥによって基地局に通知されるか、又は、ＵＥの能力に応じて基地局によって決定される。
【０２５９】
一実施例では、第２情報において、基準信号受信電力は相対受信電力であるか、又は、第２情報において、基準信号関連インデックスはビットマップで指示されるか、又は、第１情報の変調符号化方式は、第２情報の変調符号化方式と異なる。
【０２６０】
一実施例では、第１情報及び第２情報は、第１情報及び第２情報がＰＵＣＣＨリソースによってフィードバックされること、第１情報及び第２情報がＰＵＳＣＨリソースによってフィードバックされること、及び第１情報がＰＵＣＣＨリソースによってフィードバックされ、第２情報がＰＵＳＣＨによってフィードバックされること、のうちの１つのように設定される。
【０２６１】
第１情報がＰＵＣＣＨリソースによってフィードバックされ、第２情報がＰＵＳＣＨによってフィードバックされる場合、第２通信ノードは差分基準信号受信電力によるフィードバックを設定できず、又は、第２通信ノードは差分基準信号受信電力によるフィードバックを設定でき、又は、第１通信ノードは、第２通信ノードが差分基準信号受信電力によるフィードバックを設定することを望まず、又は、第１通信ノードは、第２通信ノードが絶対基準信号受信電力によるフィードバックを設定することを望む。
【０２６２】
図１２は本発明の実施例に係るビーム報告フィードバック方法の概略図１である。表１に示されるＵＥ側のＲＳＲＰ測定結果に基づいて、ＵＥはフィードバック内容を第１報告部分及び第２報告部分の２つの部分に分け、第１報告部分は第１情報を含み、第２報告部分は第２情報を含む。第１情報は、最も強いＲＳＲＰ下の基準信号インデックス、及びこのインデックスでのＲＳＲＰを搬送し、第２情報は、その他の基準信号インデックス及びこのインデックスでのＲＳＲＰを搬送する。一実施例では、第２情報は差分ＲＳＲＰ報告を利用し、第１情報は絶対ＲＳＲＰ報告を使用し、また、報告結果を第２報告における差分ＲＳＲＰの基準値又は基準値の１つとする。
【０２６３】
図１３は本発明の実施例に係るビーム報告フィードバック方法の概略図２である。表１に示されるＵＥ側のＲＳＲＰ測定結果に基づいて、且つ「基準信号グループ内部で、異なる基準信号を同時に受信でき、基準信号グループの間で、異なる基準信号を同時に受信できない」というグループルールに基づいて、具体的には、当該ルールに基づいて、ＵＥは｛ＣＲＩ−１，ＣＲＩ−３｝を１番目のビームグループに分け、｛ＣＲＩ−０，ＣＲＩ−７｝を第２ビームグループとし、グループ内の異なる基準信号を、例えば、１つの空間受信フィルタ又は２つの空間受信フィルタによって同時に受信できる。
【０２６４】
一実施例では、ＵＥはフィードバック内容を第１報告部分及び第２報告部分の２つの部分に分け、第１報告部分は第１情報を含み、第２報告部分は第２情報を含む。第１情報は第１ビームグループ（基準信号グループに相当する）及び第２ビームグループでの最も強いＲＳＲＰのＣＲＩ情報及びそのＲＳＲＰを搬送し、第２情報は、各前記グループの他のＣＲＩ情報及び各グループ内の絶対ＲＳＲＰを基準とする差分ＲＳＲＰ報告を搬送する。
一実施例では、ビームグループでの差分基準信号は、信号電力フィードバックを受信する。
【０２６５】
基準信号グループ、又は、ビームグループでは、フィードバックオーバーヘッドを節約するために、差分のＲＳＲＰフィードバック方法を導入する必要がある。一実施例では、当該方法は、グループ、特に複数のグループにおける、基準ＲＳＲＰの決定とグループとの間の関係に係わる問題を明らかにしなければならない。具体的には、ａ）〜ｃ）のうちの少なくとも１つ又は組合せを含む。
【０２６６】
ａ）基準信号グループ内で、Ｘ個の基準信号で差分基準信号受信電力をフィードバックする。
ｂ）Ｄ個の基準信号グループのそれぞれからＹ個の基準信号を選択し、前記基準信号で差分基準信号受信電力をフィードバックする。
ｃ）基準信号グループ内部と基準信号グループとの間で、Ｊ個の基準信号で差分基準信号受信電力をフィードバックする。
Ｘ、Ｙ、Ｄ、Ｊは１以上の自然数である。
【０２６７】
基準信号グループ内で、Ｘ個の基準信号で差分基準信号受信電力をフィードバックする場合ａ）では、前記差分基準信号受信電力の基準電力は、前記グループ内の特定基準信号の基準信号受信電力、前記グループ外の特定基準信号の基準信号受信電力、基地局によって設定される差分基準信号受信電力報告の基準値、及び前記Ｘ個の基準信号内の特定基準信号の基準信号受信電力のうちの少なくとも１つであってもよい。
【０２６８】
一実施例では、特定基準信号は上記実施例における指定基準信号に相当する。
【０２６９】
Ｄ個の基準信号グループのそれぞれからＹ個の基準信号を選択し、前記基準信号で差分基準信号受信電力をフィードバックする場合ｂ）では、前記差分基準信号受信電力の基準電力は、前記Ｄ個の基準信号グループ内の特定基準信号の基準信号受信電力、前記Ｄ個の基準信号グループ外の特定基準信号の基準信号受信電力、基地局によって設定される差分基準信号受信電力報告の基準値、及び前記Ｄ個の基準信号グループのＹ個の基準信号内における、特定基準信号の基準信号受信電力のうちの少なくとも１つであってもよい。
【０２７０】
基準信号グループ内部と基準信号グループとの間で、Ｊ個の基準信号で差分基準信号受信電力をフィードバックする場合ｃ）では
【０２７１】
前記差分基準信号受信電力の基準電力は、前記Ｊ個の基準信号のうちの特定基準信号の基準信号受信電力、基地局によって設定される差分基準信号受信電力報告の基準値、及び前記Ｊ個の基準信号外の特定基準信号の基準信号受信電力のうちの少なくとも１つであってもよい。
【０２７２】
上記場合ａ）〜場合ｃ）では、前記特定基準信号は、グループ内部の基準信号のうち、最大又は最小基準信号受信電力を有する基準信号、又は、すべての基準信号のうち、最大又は最小基準信号受信電力を有する基準信号である。
【０２７３】
また、差分基準信号受信電力によるフィードバックについて、基準値に加えて、差分報告のステップ量も非常に重要である。ただし、前記差分基準信号受信電力におけるステップ量は、予め定義されたステップ量、差分基準信号受信電力の基準電力に基づいてステップ量を決定すること、差分基準信号受信電力の基準電力及び第２通信ノードによって設定された閾値に基づいて、ステップ量を決定すること、のうちの少なくとも１つ又は組合せによって設定される。
【０２７４】
差分基準信号受信電力によるフィードバックを実行する条件は、１）基準信号タイプ、及び、２）前記基準信号数のうちの少なくとも１つを含む。例えば、ＣＳＩ−ＲＳ及びＳＳ  ｂｌｏｃｋによるフィードバックを同時にサポートする場合、ＣＳＩ−ＲＳのみが差分報告をサポートし、ＳＳ  ｂｌｏｃｋが差分報告をサポートしないようにしてもよい。或いは、ＣＳＩ−ＲＳとＳＳ  ｂｌｏｃｋが差分報告を個別に行うようにしてもよく、これはＣＳＩ−ＲＳ及びＳＳ  ｂｌｏｃｋが差分報告を行う時、ＲＳＲＰの基準値が関連していなくてもよいことを示す。
【０２７５】
例えば、基地局側はビームトレーニング用の６個のＣＳＩ−ＲＳ  ｒｅｓｏｕｒｃｅを設定し、その後、ＵＥ側がｂｅａｍ  ｒｅｐｏｒｔｉｎｇをフィードバックするための関連リソースを設定し、同時受信可能な仮定を満たす２つのビームリソースのフィードバックを許可し、即ち、１つのビームグループをフィードバックする。６個のＣＳＩ  ｒｅｓｏｕｒｃｅに対してチャネル測定を行った後、ＵＥ側は対応するＲＳＲＰ結果を取得し、表３に示される通りである。また、ＣＲＩ−０及びＣＲＩ−５は同時受信可能であり、ＣＲＩ−１、ＣＲＩ−２、ＣＲＩ−３及びＣＲＩ−４は同時受信可能である。
【０２７６】
【表３】
2021503824.tif 000005
【０２７７】
ＵＥ側は｛ＣＲＩ−１及びＣＲＩ−２｝を選択してビームグループ報告を実行し、この場合、ＣＲＩ−１は当該グループ内部の最大ＲＳＲＰを有する基準信号インデックスとして、ＲＳＲＰ値｛−６０ｄＢｍ｝が絶対又は非差分のＲＳＲＰ報告を使用する一方、ＣＲＩ−２のＲＳＲＰ値［−６６ｄＢｍ］は相対ＲＳＲＰ報告を使用する。表２に示される差分ステップ関係によると、ＣＲＩ−２での関連報告は［ＣＲＩ−２，−６ｄＢｍ（ｉ．ｅ．，４’ｂ０１１０）］である。従って、当該報告の内容情報は、｛［ＣＲＩ−１，−６０ｄＢｍ］，［ＣＲＩ−２，−６ｄＢｍ（ｉ．ｅ．，４’ｂ０１１０）］｝となる。
【０２７８】
基地局は、ＵＥが同時受信可能な仮定を満たす４つのビームリソースのフィードバックを実行することを設定すると、１つのビームグループをフィードバックする。また、基地局は、ビーム選択の下限が−９０ｄＢｍであるように設定する。差分のステップとして、グループ内部の最大ＲＳＲＰと基地局によって設定された下限との差分を設定する場合、合計４−ｂｉｔが使用可能であることを考慮すると、ステップ量の計算式は以下の通りである。
【０２７９】
Ｓｔｅｐ  ｖａｌｕｅ＝｛Ｍａｘ  ｏｆ  ＲＳＲＰ−Ｔｈｒｅｓｈｏｌｄ｝／（２∧ｎ−ｌ）
【０２８０】
ただし、Ｓｔｅｐ  ｖａｌｕｅはステップ量、Ｍａｘ  ｏｆ  ＲＳＲＰは最大ＲＳＲＰ又はグループ内の最大ＲＳＲＰ又は基準のＲＳＲＰ値、Ｔｈｒｅｓｈｏｌｄは基地局によって設定された閾値、ｎは差分報告のビット数を示す。式に代入すると、ステップ量は（−６０−（−９０））／１５＝２ｄＢとなる。また、ＣＲＩ−４が閾値要件を満たさないため、ＵＥ側は３つのビーム情報（即ち、３つの基準ビームインデックス）のみを報告する。具体的な報告情報は、｛［ＣＲＩ−１，−６０ｄＢｍ］，［ＣＲＩ−２，−６ｄＢｍ（ｉ．ｅ．，４’ｂ００１１）］｝｛［ＣＲＩ−３，−１４ｄＢｍ（ｉ．ｅ．，４’ｂ０１１１）］｝となる。
【０２８１】
一実施例では、第２通信ノード（ｇＮＢ）からの指示でビームフィードバックを行う。
【０２８２】
基地局によって設定されたビームトレーニング用の基準信号は、優先度が異なる可能性がある。これは、一部の基準信号が現在のサービングビーム又は候補ビーム集合のサポートに使用されるが、その他の基準信号は、新な潜在ビームを探索するように、通常のビームトレーニングのみに使用される可能性があることが主な原因となる。この場合、基地局は、ＵＥが必ず報告又は優先報告する特定ビームを指定できる。
【０２８３】
前記第２通信ノード（即ち、基地局）から送信された基準信号に対して、第２通信ノードは基準信号の報告モードを設定する。ここで、報告モードは、第１報告モード、及び第２報告モードのうちの少なくとも１つ又は組合せを含み、第１報告モードは第２報告モードよりも優先度が高い（又は、一定のフィードバックビーム報告を要求する）か、又は、第１報告モードにおける閾値は、第２報告モードにおける閾値未満である。具体的には、第１報告モードでは、関連付けられた基準信号の基準信号関連インデックス及び／又は基準信号受信電力を報告し、第２報告モードでは、関連付けられた基準信号の基準信号関連インデックス及び／又は基準信号受信電力を報告してもしなくてもよい。
【０２８４】
一実施例では、第１報告モードで基準信号をフィードバックしなければならないため、ＵＥ側はそれに対応するインデックス情報をフィードバックするのではなく、暗黙的な方法によって対応する関係を直接フィードバックしてもよく、例えば、基準信号受信電力の順序位置で前記基準信号インデックスを指示する。
【０２８５】
どのように差分ＲＳＲＰ報告をサポートするかについて、第１報告モードと第２報告モードは、それぞれ差分基準信号受信電力によるフィードバックを実行するか、又は、第１報告モードでは、絶対基準信号受信電力を利用してフィードバックするが、第２報告モードでは、差分基準信号受信電力を利用してフィードバックするか、又は、第２報告モードでは、絶対基準信号受信電力を利用してフィードバックするが、第１報告モードでは、差分基準信号受信電力を利用してフィードバックする。一実施例では、第１報告モードと第２報告モードは、それぞれ差分基準信号受信電力によるフィードバックを実行するか、又は、差分報告におけるステップ量は異なるものであるか、又は、ステップ量はそれぞれ設定されるものである。
【０２８６】
一実施例では、ＵＥの能力に応じて基地局の設定範囲を制限することに着目する。
【０２８７】
ＵＥ側の能力によって、基地局側によって設定可能なパラメータを効果的に制限することで、シグナリング設定のオーバーヘッドを節約できるとともに、チャネル品質フィードバック時のフィードバックを必要としないリソースのオーバーヘッドの削減に有利であり、ユーザー側がサポートできない設定挙動を回避できる。
【０２８８】
本発明の実施例は、第２通信ノードに適用される情報設定方法を提供する。当該方法は、以下のうちの少なくとも１つを含む。
【０２８９】
第１通信ノードの能力に応じて、第２通信ノードは設定制約を決定し、物理アップリンク制御チャネル（ＰＵＣＣＨ）、物理ランダムアクセスチャネル（ＰＲＡＣＨ）、ビームが回復された物理ランダムアクセスチャネル（ＰＲＡＣＨ）、第１タイプのシグナリング回数閾値、及び累計時間閾値のうちの少なくとも１つ又は組合せに関する。
【０２９０】
一実施例では、第１通信ノードの能力は、ビーム関連付け（ｂｅａｍ  ｃｏｒｒｅｓｐｏｎｄｅｎｃｅ）をサポートすること、非ビーム関連付け（ｎｏｎ  ｂｅａｍ  ｃｏｒｒｅｓｐｏｎｄｅｎｃｅ）をサポートすること、一部のビーム関連付けをサポートすること、及びアンテナパラメータ、のうちの少なくとも１つ又は組合せに関する。
【０２９１】
一実施例では、関連付けられたダウンリンク基準信号がチャネル特性仮定を満たす物理ランダムアクセスチャネル（ＰＲＡＣＨ）は、同一時間領域単位に割り当てられる。前記時間領域単位は、スロット、サブフレーム、シンボル又はシンボル集合を含む。
【０２９２】
一実施例では、前記アンテナパラメータは、
１）アンテナポートの数、
２）２−Ｄアンテナグループコードブックの次元の大きさ及び２−Ｄアンテナグループコードブックの数、
３）アンテナグループにおける２Ｄビームコードブックの次元の大きさ及び２−Ｄビームコードブックの数、
４）広帯域幅向けのコードブックの次元の大きさ及び広帯域幅向けのコードブックの数、
５）狭帯域幅向けのコードブックの次元の大きさ及び狭帯域幅向けのコードブックの数、
６）偏波向けのコードブックの次元の大きさ及び偏波向けのコードブックの数、
７）コードブック量子化の精度の大きさ、
８）ダウンリンク受信コードブックが２）〜５）のうちのすべて又はいずれか1つのコードブックに関連付けられるか否か、
９）アンテナパネルの数、
１０）アンテナパネルの行数、
１１）アンテナパネルの列数、
１２）アンテナパネルのトポロジー形状、
１３）アンテナパネルにおけるアンテナ要素の行数、
１４）アンテナパネルにおけるアンテナの列数、及び
１５）アンテナ偏波特性、のうちの１つ又は組合せを含む。
【０２９３】
以上のように、本発明の実施例に係る技術案に基づいて、ユーザーによる能動的ビーム報告及び基地局の指示下でのビーム報告に対して設定制限及びバインディング設定を行うことは、具体的には、ＰＲＡＣＨ及びＰＵＣＣＨリソース設定に対する限定及びバインディング、ユーザーによる能動的ビーム報告の時間制約設定、基地局によって指示されたビームフィードバック及びグループフィードバックにおけるＲＳＲＰ差分報告と絶対ＲＳＲＰ報告の組合せ方法を含み、ビーム報告の効率を効果的に向上させ、設定及び実際のオーバーヘッドを節約することができる。
【０２９４】
明らかなように、当業者であれば、上記本発明の各モジュール又は各ステップは汎用コンピューティング装置によって実現でき、１つのコンピューティング装置に集中されてもよく、又は複数のコンピューティング装置から構成されるネットワークに分散してもよい。一実施例では、コンピューティング装置で実行可能なプログラムコードによって実現でき、この場合、記憶装置に記憶され、コンピューティング装置で実行する。場合によっては、ここでの順序と異なる順序で、示された又は説明されたステップを実施するか、又はそれらをそれぞれ各集積回路モジュールにするか、又はそれらのうちの複数のモジュール又はステップを１つの集積回路モジュールとして実現されてもよい。このように、本発明はいずれの特定のハードウェアとソフトウェアとの組合せに限定されない。
【０２９５】
以上、本発明の好適実施例を説明したが、本発明を限定するものではなく、当業者は、本発明に対して種々の変更や変化を行うことができる。本発明の趣旨を逸脱せずに行われる変更、同等置換や改良等はいずれも本発明の保護範囲に含まれる。
【図１】
2021503824.tif 000006
【図２】
2021503824.tif 000007
【図３】
2021503824.tif 000008
【図４】
2021503824.tif 000009
【図５】
2021503824.tif 000010
【図６】
2021503824.tif 000011
【図７】
2021503824.tif 000012
【図８】
2021503824.tif 000013
【図９】
2021503824.tif 000014
【図１０】
2021503824.tif 000015
【図１１】
2021503824.tif 000016
【図１２】
2021503824.tif 000017
【図１３】
2021503824.tif 000018
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
第１通信ノードに適用される情報受信方法であって、
第２通信ノードから送信された基準信号を受信するステップと、
前記基準信号に関連する情報であって、基準信号関連インデックスの情報、及び基準信号受信電力の情報のうちの少なくとも１つを含む情報を決定するステップと、
決定された前記情報を前記第２通信ノードにフィードバックするステップと、を含む、方法。
【請求項２】
前記基準信号の基準信号受信電力と最大基準信号受信電力との差分が第１閾値以下である条件、
前記基準信号の基準信号受信電力と前記基準信号の位置するグループ内の最大基準信号受信電力との差分が第２閾値以下である条件、
前記基準信号の基準信号受信電力と指定基準信号における基準信号受信電力との差分が第３閾値以下である条件、
前記基準信号の基準信号受信電力と差分基準信号受信電力を算出するための基準電力との差分が第４閾値以下である条件、及び
前記基準信号の基準信号受信電力が第５閾値以上である条件、
のうちの少なくとも１つを満たす場合、前記情報には前記基準信号関連インデックスが含まれる、請求項１に記載の方法。
【請求項３】
前記第１閾値、前記第２閾値、前記第３閾値、及び前記第５閾値は、前記第２通信ノードによって設定される値、及び予め定義される値のうちの１つとして決定され、
前記第４閾値は、前記第２通信ノードによって設定される値、前記差分基準信号受信電力の変化範囲によって決定される値、及び予め定義される値のうちの１つとして決定される、請求項２に記載の方法。
【請求項４】
前記基準信号が基準信号グループ内のＸ個の基準信号である場合、差分基準信号受信電力の形で前記Ｘ個の基準信号に対応する基準信号受信電力をフィードバックするステップ、
Ｄ個の基準信号グループのそれぞれからＹ個の基準信号が選択された場合であって、前記基準信号が選択された基準信号である場合、差分基準信号受信電力の形で前記選択された基準信号に対応する基準信号受信電力をフィードバックするステップ、及び
前記基準信号がＪ個の基準信号である場合、差分基準信号受信電力の形で前記Ｊ個の基準信号に対応する基準信号受信電力をフィードバックするステップ、
のうちの少なくとも１つをさらに含み、
Ｘ、Ｙ、Ｄ、Ｊは１以上の自然数である、請求項１に記載の方法。
【請求項５】
前記基準信号が基準信号グループ内のＸ個の基準信号である場合、前記Ｘ個の基準信号の前記差分基準信号受信電力を算出するための基準電力は、
前記基準信号グループ内の指定基準信号の基準信号受信電力、
前記基準信号グループ外の指定基準信号の基準信号受信電力、
前記第２通信ノードによって設定された、差分基準信号受信電力を算出するための基準値、及び
前記Ｘ個の基準信号のうちの指定基準信号の基準信号受信電力のうちの少なくとも１つを含む、請求項４に記載の方法。
【請求項６】
Ｄ個の基準信号グループのそれぞれからＹ個の基準信号が選択された場合であって、前記基準信号が選択された基準信号である場合、前記選択された基準信号の前記差分基準信号受信電力を算出するための基準電力は、
前記Ｄ個の基準信号グループ内の指定基準信号の基準信号受信電力、
前記Ｄ個の基準信号グループ外の指定基準信号の基準信号受信電力、
前記第２通信ノードによって設定された、差分基準信号受信電力を算出するための基準値、及び
前記Ｄ個の基準信号グループ内のＹ個の基準信号のうちの指定基準信号の基準信号受信電力
のうちの少なくとも１つを含む、請求項４に記載の方法。
【請求項７】
前記基準信号がＪ個の基準信号である場合、前記Ｊ個の基準信号の前記差分基準信号受信電力を算出するための基準電力は、
前記Ｊ個の基準信号のうちの指定基準信号の基準信号受信電力、
前記第２通信ノードによって設定された、差分基準信号受信電力を算出するための基準値、及び
前記Ｊ個の基準信号外の指定基準信号の基準信号受信電力
のうちの少なくとも１つを含む、請求項４に記載の方法。
【請求項８】
前記指定基準信号が１つ又は複数の指定基準信号グループ内にある場合、前記指定基準信号は、１つ又は複数の前記指定基準信号グループ内の最大又は最小基準信号受信電力を有する基準信号、又は、すべての基準信号のうち最大又は最小基準信号受信電力を有する基準信号である、請求項５に記載の方法。
【請求項９】
差分基準信号受信電力のステップ量は、
予め定義されたステップ量に基づいて決定されること、
前記差分基準信号受信電力を算出するための基準電力に基づいて決定されること、及び
前記差分基準信号受信電力を算出するための基準電力及び前記第２通信ノードによって設定された閾値に基づいて決定されること、
のうちの少なくとも１つによって決定され、
複数の識別子によって複数の前記差分基準信号受信電力をフィードバックする場合、前記差分基準信号受信電力のステップ量は前記複数の識別子のうちの第１識別子で指示される第１差分基準信号受信電力と、前記複数の識別子のうち、前記第１識別子に隣接する第２識別子で指示される第２差分基準信号受信電力との差である、請求項４に記載の方法。
【請求項１０】
異なるタイプの基準信号に対して、差分基準信号受信電力の形で前記異なるタイプの基準信号の基準信号受信電力を個別にフィードバックすること、
異なるタイプの基準信号に対して、差分基準信号受信電力の形で異なるタイプの基準信号の基準信号受信電力を同時にフィードバックすること、
差分基準信号受信電力の形で第１タイプの基準信号の基準信号受信電力をフィードバックし、第２タイプの基準信号の基準信号受信電力を直接フィードバックすること、
前記第２通信ノードによって設定された異なる基準信号集合に対して、差分基準信号受信電力の形で異なる基準信号集合の基準信号受信電力を個別にフィードバックすること、及び
前記第１通信ノードによってフィードバックされた異なる基準信号グループに対して、差分基準信号受信電力の形で異なる前記基準信号グループの基準信号受信電力を個別にフィードバックすること、
のうちの少なくとも１つによって、前記差分基準信号受信電力をフィードバックする、請求項４に記載の方法。
【請求項１１】
基準信号の基準信号タイプが指定基準信号タイプである条件、及び
基準信号の数が所定閾値以上である条件、
のうちの少なくとも１つの条件下で、差分基準信号受信電力の形で基準信号受信電力をフィードバックする、請求項１に記載の方法。
【請求項１２】
前記基準信号に関連する情報を決定する前に、
前記第２通信ノードによって設定された、前記基準信号に関連する情報をフィードバックするための報告モードを取得するステップをさらに含み、前記報告モードは第１報告モード及び第２報告モードのうちの少なくとも１つを含み、
前記第１報告モードと前記第２報告モードとの関係は、
前記第１報告モードは前記第２報告モードよりも設定優先度が高いこと、
前記第１報告モードで前記基準信号に関連する情報のフィードバックを限定するための閾値は、前記第２報告モードで前記基準信号に関連する情報のフィードバックを限定するための閾値未満であること、
前記第１報告モードでは、前記第１通信ノードに対して前記第２通信ノードによって設定されたすべての基準信号に関連する情報を、前記第２通信ノードにフィードバックすること、及び
前記第２報告モードでは、前記第２通信ノードの基準信号に関連する情報の数は、前記第１通信ノードに対して前記第２通信ノードによって設定された基準信号に関連する情報のフィードバック数以下であること、
のうちの少なくとも１つを含む、請求項１に記載の方法。
【請求項１３】
前記報告モードが前記第１報告モードである場合、前記基準信号の基準信号受信電力の順序位置は、前記基準信号の基準信号関連インデックスを指示するためのものである、請求項１２に記載の方法。
【請求項１４】
前記第１報告モード及び第２報告モードでは、それぞれ差分基準信号受信電力の形で基準信号受信電力をフィードバックするステップ、
前記第１報告モードでは、基準信号受信電力を直接フィードバックし、第２報告モードでは、差分基準信号受信電力の形で基準信号受信電力をフィードバックするステップ、及び
前記第２報告モードでは、基準信号受信電力を直接フィードバックし、第１報告モードでは、差分基準信号受信電力の形で基準信号受信電力をフィードバックするステップ、
のうちの少なくとも１つをさらに含む、請求項１２に記載の方法。
【請求項１５】
前記第１報告モード及び第２報告モードでは、それぞれ差分基準信号受信電力の形で基準信号受信電力をフィードバックする場合、
前記第１報告モードでの差分報告における差分基準信号受信電力のステップ量と前記第２報告モードでの差分報告における差分基準信号受信電力のステップ量とは異なるか、又は、前記第１報告モードでの差分報告における差分基準信号受信電力のステップ量と前記第２報告モードでの差分報告における差分基準信号受信電力のステップ量とはそれぞれ設定される請求項１２に記載の方法。
【請求項１６】
第２通信ノードに適用される情報送信方法であって、
基準信号を第１通信ノードに送信するステップと、
前記第１通信ノードによってフィードバックされた、前記基準信号に関連する情報を受信するステップと、を含み、
前記情報は、基準信号関連インデックスの情報、及び基準信号受信電力の情報のうちの少なくとも１つを含む方法。
【請求項１７】
前記基準信号の基準信号受信電力と最大基準信号受信電力との差分が第１閾値以下である条件、
前記基準信号の基準信号受信電力と前記基準信号の位置するグループ内の最大基準信号受信電力との差分が第２閾値以下である条件、
前記基準信号の基準信号受信電力と指定基準信号における基準信号受信電力との差分が第３閾値以下である条件、
前記基準信号の基準信号受信電力と差分基準信号受信電力を算出するための基準電力との差分が第４閾値以下である条件、及び
前記基準信号の基準信号受信電力が第５閾値以上である条件、
のうちの少なくとも１つを満たす場合、前記情報には前記基準信号関連インデックスが含まれる請求項１６に記載の方法。
【請求項１８】
第１通信ノードに適用される情報受信装置であって、
情報受信用のプログラムを保存するように構成されたメモリと、
前記プログラムを実行するプロセッサであって、前記プログラムが実行されると、請求項１〜１５のうちのいずれか１項に記載の情報受信方法を実行するように構成されたプロセッサと、を含む装置。
【請求項１９】
第２通信ノードに適用される情報送信装置であって、
情報送信用のプログラムを保存するように構成されたメモリと、
前記プログラムを実行するプロセッサであって、前記プログラムが実行されると、請求項１６又は１７に記載の情報送信方法を実行するように構成されたプロセッサと、を含む装置。
【手続補正３】
【補正対象書類名】明細書
【補正対象項目名】００３４
【補正方法】変更
【補正の内容】
【００３４】
一実施例では、上記方法は、第１タイプのシグナリングの送信回数が第１タイプのシグナリング回数閾値を超える場合、及び／又は、計時ユニットの計時時間が累計時間閾値を超える場合、指定情報を上位層に送信するステップ、第１タイプのシグナリング回数閾値に達する第１タイプのシグナリングを送信してからの第１所定時間以内に、第２通信ノードから送信された第１タイプのシグナリングの応答メッセージが受信されていない場合、指定情報を上位層に送信するステップ、及び、計時ユニットの計時時間が累計時間閾値を超えてからの第２所定時間以内に、上位層に指定情報を送信するステップのうちの少なくとも１つをさらに含んでもよい。
【手続補正４】
【補正対象書類名】明細書
【補正対象項目名】００４２
【補正方法】変更
【補正の内容】
【００４２】
一実施例では、上記方法は、上記ステップＳ２０４の前に、第２通信ノードから送信された第２タイプのシグナリングを受信し、第２タイプのシグナリングに所定のＰＲＡＣＨリソースが担持され、所定のＰＲＡＣＨリソースは設定済み又は予め定義されたＰＲＡＣＨリソース集合から選択されたＰＲＡＣＨリソースであり、所定のＰＲＡＣＨリソースは第１タイプのシグナリングによって占有されるＰＲＡＣＨリソースの時間領域及び／又は周波数領域位置を指示するのに用いられるステップ、及び、第２通信ノードから送信された第３タイプのシグナリングを受信し、第３タイプのシグナリングに、第１タイプのシグナリングのＰＲＡＣＨリソースに関連付けられた所定のＣＳＩ−ＲＳリソース及び／又はＳＳ  ｂｌｏｃｋが担持され、所定のＣＳＩ−ＲＳリソース及び／又はＳＳ  ｂｌｏｃｋは設定済み又は予め定義されたＣＳＩ−ＲＳリソース集合及び／又はＳＳ  ｂｌｏｃｋ集合から選択されたものであり、所定のＣＳＩ−ＲＳリソース及び／又はＳＳ  ｂｌｏｃｋは第１タイプのシグナリングによって占有されるＰＲＡＣＨリソースに関連付けられたものであるステップ、のうちの少なくとも１つをさらに含んでもよい。
【手続補正５】
【補正対象書類名】明細書
【補正対象項目名】００４６
【補正方法】変更
【補正の内容】
【００４６】
一実施例では、第２通信ノードによって設定された周波数領域ステップ量を受信することは、上記ステップＳ２０４の前又は後に実行されてもよいが、これに限定されない。
【手続補正６】
【補正対象書類名】明細書
【補正対象項目名】００８９
【補正方法】変更
【補正の内容】
【００８９】
一実施例では、第１通信ノードに対して周波数領域ステップ量を設定することは、上記ステップＳ４０４の前又は後に実行されてもよいが、これに限定されない。
【手続補正７】
【補正対象書類名】明細書
【補正対象項目名】０１２３
【補正方法】変更
【補正の内容】
【０１２３】
一実施例では、上記装置は、上記送信モジュール６４に接続され、第１通信ノードに対して第２通信ノードによって設定された第１タイプのシグナリング回数閾値、及び累計時間閾値のうちの少なくとも１つの閾値情報を受信するように構成された受信モジュールをさらに含んでもよく、第１タイプのシグナリングの送信回数が第１タイプのシグナリング回数閾値を超える場合、第１タイプのシグナリングの送信を停止し、計時ユニットの計時開始点と第１タイプのシグナリングの送信時刻との間の時間が累計時間閾値を超える場合、第１タイプのシグナリングの送信を停止する。能動的報告に対して閾値を設定し、即ち、能動的報告に対して設定制限を行うことで、報告の効率を向上させることができる。
【手続補正８】
【補正対象書類名】明細書
【補正対象項目名】０１２４
【補正方法】変更
【補正の内容】
【０１２４】
一実施例では、上記送信モジュール６４はさらに、第１タイプのシグナリングの送信回数が第１タイプのシグナリング回数閾値を超える場合、及び／又は、計時ユニットの計時時間が累計時間閾値を超える場合、指定情報を上位層に送信するステップ、第１タイプのシグナリング回数閾値に達する第１タイプのシグナリングを送信してからの第１所定時間以内に、第２通信ノードから送信された第１タイプのシグナリングの応答メッセージが受信されていない場合、指定情報を上位層に送信するステップ、及び、計時ユニットの計時時間が累計時間閾値を超えてからの第２所定時間以内に、上位層に指定情報を送信するステップ、のうちの少なくとも１つを実行するように構成される。
【国際調査報告】
2021503824.tif 000019
2021503824.tif 000020
2021503824.tif 000021
2021503824.tif 000022
2021503824.tif 000023